(57)【要約】      （修正有）【課題】１回の単位遊技にて、第１の役の当選を報知可能であるとともに有利な特典を付与可能な遊技機を提供する。【解決手段】スロットマシンには、単位遊技毎に当否可能な複数種類の役として、入賞が成立するまで複数の単位遊技にわたり当選が持ち越され得る第１の役（ＢＢ役）と、入賞の成立時に遊技者に有利な特典が付与される第２の役（再遊技役）とがある。第１の役の当選を持ち越した単位遊技で第２の役に当選した場合には、第１の役に当選していることを示唆する当選示唆演出として特殊示唆演出（第１示唆演出）を実行し、第１の役の当選を持ち越した単位遊技で第２の役に非当選の場合には、特殊示唆演出を実行しない。【選択図】図２６
2020062292.tif 000002
【特許請求の範囲】
【請求項１】
単位遊技毎に複数種類の役の当否を判定可能な当否判定手段と、
図柄が所定の態様で停止表示された場合、それに応じた役の入賞の成立を判定可能な入賞判定手段と、
入賞が成立した役に応じて特典を付与可能な特典付与手段と、
所定の演出を実行可能な演出実行手段と、を備え、
前記複数種類の役には、入賞が成立するまで複数の単位遊技にわたり当選が持ち越され得る第１の役と、入賞の成立時に遊技者に有利な特典が付与される第２の役と、があり、
前記演出実行手段は、
前記第１の役に当選していることを示唆する当選示唆演出を実行可能であり、
前記第１の役の当選を持ち越した単位遊技で前記第２の役に当選した場合には、前記当選示唆演出として特殊示唆演出を実行するときがあり、
前記第１の役の当選を持ち越した単位遊技で前記第２の役に非当選の場合には、前記特殊示唆演出を実行しないことを特徴とする遊技機。
【請求項２】
請求項１に記載の遊技機であって、
前記演出実行手段は、
前記第１の役に当選した単位遊技の次以降の単位遊技において、その第１の役の入賞が成立するまで前記当選示唆演出を実行するときがあり、
前記第１の役の当選を持ち越した単位遊技で前記第２の役に非当選の場合には、前記当選示唆演出として前記特殊示唆演出とは異なる異種示唆演出を実行するときがあり、
前記異種示唆演出の方が前記特殊示唆演出よりも、前記第１の役に当選していることが遊技者に判り易い演出であることを特徴とする遊技機。
【請求項３】
請求項１又は請求項２に記載の遊技機であって、
前記第１の役に当選している単位遊技で前記第２の役に当選した場合には、前記第１の役の入賞よりも前記第２の役の入賞の方が優先して成立することを特徴とする遊技機。
【請求項４】
請求項１から請求項３のいずれか１項に記載の遊技機であって、
前記複数種類の役には、入賞の成立時に、遊技媒体の受け入れがなくても再遊技が可能となる特典が付与される再遊技役があり、
前記第２の役とは前記再遊技役であることを特徴とする遊技機。
【請求項５】
請求項１から請求項３のいずれか１項に記載の遊技機であって、
前記特典付与手段は、
入賞成立時に遊技媒体を払い出す払出手段を有しており、
前記複数種類の役には、入賞の成立時に所定の払い出し数で遊技媒体が払い出される払出役があり、
前記第２の役とは、前記所定の払い出し数が当該単位遊技の賭数よりも多い特別払出役であることを特徴とする遊技機。
【発明の詳細な説明】
【技術分野】
【０００１】
本発明は、回胴式遊技機（パチスロ遊技機，スロットマシン）等の遊技機に関する。
【背景技術】
【０００２】
従来から、通常時とは演出態様が多少異なる「違和感演出（特殊示唆演出）」を実行可能な遊技機が知られている。例えば、特許文献１に記載のパチンコ遊技機では、演出に用いる操作レバーの操作音を通常時よりも遅れて出力する違和感演出（特殊示唆演出）が実行可能となっている。また例えば、ビッグボーナス（ＢＢ）役（第１の役）に当選していることを報知するため、違和感演出（特殊示唆演出）を実行可能な回胴式遊技機が知られている。
【先行技術文献】
【特許文献】
【０００３】
【特許文献１】特開２０１５−１７７９８９号公報
【発明の概要】
【発明が解決しようとする課題】
【０００４】
しかしながら、上記の回胴式遊技機では普通、ＢＢ役以外の役の当否判定の結果にかかわらず特殊示唆演出が行われる。そのため、遊技者は、特殊示唆演出が行われた単位遊技で、大当たりに当選していることを把握可能であるけれども、その単位遊技のために賭けたメダル（遊技媒体）を損失してしまう場合がある。つまり、遊技者にとって不利な事象が伴ってしまう場合がある。
【課題を解決するための手段】
【０００５】
本発明の遊技機は、
単位遊技毎に複数種類の役の当否を判定可能な当否判定手段と、
図柄が所定の態様で停止表示された場合、それに応じた役の入賞の成立を判定可能な入賞判定手段と、
入賞が成立した役に応じて特典を付与可能な特典付与手段と、
所定の演出を実行可能な演出実行手段と、を備え、
前記複数種類の役には、入賞が成立するまで複数の単位遊技にわたり当選が持ち越され得る第１の役と、入賞の成立時に遊技者に有利な特典が付与される第２の役と、があり、
前記演出実行手段は、
前記第１の役に当選していることを示唆する当選示唆演出を実行可能であり、
前記第１の役の当選を持ち越した単位遊技で前記第２の役に当選した場合には、前記当選示唆演出として特殊示唆演出を実行するときがあり、
前記第１の役の当選を持ち越した単位遊技で前記第２の役に非当選の場合には、前記特殊示唆演出を実行しないことを特徴とする。
【発明の効果】
【０００６】
本発明によれば、１回の単位遊技にて遊技者は、第１の役の当選を把握可能な上、遊技者にとって有利な特典を得ることが可能である。
【図面の簡単な説明】
【０００７】
【図１】第１実施形態に係る遊技機の全体斜視図である。
【図２】同遊技機の正面図である。
【図３】各リールに付した図柄の概念図である。
【図４】主制御基板側の回路構成を示すブロック図である。
【図５】サブ制御基板側の回路構成を示すブロック図である。
【図６】各遊技状態の関係を示す説明図である。
【図７】遊技役の種類および払出枚数を示す表である。
【図８】遊技役の停止表示図柄を示す表である。
【図９】遊技役判定テーブルである。
【図１０】主制御基板タイマ割り込み処理のフローチャートである。
【図１１】メイン制御処理のフローチャートである。
【図１２】電源投入時処理のフローチャートである。
【図１３】ベット・開始操作受付処理のフローチャートである。
【図１４】当選役決定処理のフローチャートである。
【図１５】メイン報知処理のフローチャートである。
【図１６】リール回転開始処理のフローチャートである。
【図１７】リール回転停止処理のフローチャートである。
【図１８】停止制御処理のフローチャートである。
【図１９】停止表示図柄判定処理のフローチャートである。
【図２０】メダル払出処理のフローチャートである。
【図２１】ＲＴ状態処理のフローチャートである。
【図２２】ＢＢ状態処理のフローチャートである。
【図２３】サブ制御処理のフローチャートである。
【図２４】コマンド解析処理のフローチャートである。
【図２５】役決定結果コマンド受信処理のフローチャートである。
【図２６】当選示唆演出実行処理のフローチャートである。
【図２７】回転開始コマンド受信処理のフローチャートである。
【図２８】ＳＢ操作コマンド受信処理のフローチャートである。
【図２９】停止表示図柄コマンド受信処理のフローチャートである。
【図３０】（Ａ）は入賞操作報知演出に用いる画像の説明図であり、（Ｂ）は入賞操作成功演出に用いる画像の説明図であり、（Ｃ）は入賞操作失敗演出に用いる画像の説明図である。
【図３１】第２示唆演出に用いる画像の説明図である。
【図３２】通常時の開始音演出と第１示唆演出での開始音演出とを示すタイミングチャートである。
【図３３】変更例の当選示唆演出実行処理のフローチャートである。
【発明を実施するための形態】
【０００８】
１．スロットマシンの構造
本発明の一実施形態に係る回胴式遊技機（以下、スロットマシンともいう）について、図面に基づいて説明する。なお、以下の説明においてスロットマシンの各部の上下方向および左右方向は、そのスロットマシンに対面する遊技者にとっての上下方向および左右方向に一致させて説明する。また、スロットマシンの各部の前方向をそのスロットマシンに対面する遊技者に近づく方向とし、スロットマシンの各部の後方向をそのスロットマシンに対面する遊技者から離れる方向として説明する。
【０００９】
まず、図１に示す全体斜視図および図２に示す正面図を参照しつつ、スロットマシン１の全体的な構造について説明する。スロットマシン１は、図１に示すように、キャビネット２と前面扉３とを備えている。キャビネット２は前面を開放した箱状をなしており、前面扉３はそのキャビネット２の前面側に開閉自在に取り付けられている。キャビネット２および前面扉３は、スロットマシン１の筐体４をなしている。
【００１０】
本スロットマシン１では、前面扉３が閉状態である場合（つまり、図１に示すような状態にある場合）には、前面扉３によってキャビネット２の前面側が閉鎖されるように構成されている。すなわち、キャビネット２および前面扉３には、図示しないロック機構が設けられており、施錠時には、前面扉３にある鍵穴１６に専用の鍵を差し込んで解錠しない限り、キャビネット２を開放できない構成になっている。従って、ホール関係者（ホール管理者）以外の者（例えば遊技者）が前面扉３を開状態にして筐体４内を触れることはできない。
【００１１】
前面扉３の中央部上寄りには、樹脂製の板材からなる表示パネルＰが配置されている（図１および図２参照）。この表示パネルＰの中央には、縦長の３つの表示窓５Ｌ，５Ｃ，５Ｒが横並びに設けられている。具体的には、左側から順に左表示窓５Ｌ、中表示窓５Ｃ、右表示窓５Ｒが並んでいる。表示窓５Ｌ，５Ｃ，５Ｒは透明とされており、各表示窓５Ｌ，５Ｃ，５Ｒを通して、上記キャビネット２の内部を視認可能に構成されている。なお、各表示窓５Ｌ，５Ｃ，５Ｒの間を仕切る部位をなくして１つの表示窓としてもよい。
【００１２】
キャビネット２の内部には、左リール６Ｌと、中リール６Ｃと、右リール６Ｒとが収納されている。複数の各リール６Ｌ，６Ｃ，６Ｒはそれぞれ円筒状に形成されている。具体的には、透光性を有する部材（本実施形態では透明な樹脂製の部材）で構成された円筒状のドラム部（図示しない）の外周部分に、同じく透光性を有する後述のリールテープ７Ｌ，７Ｃ，７Ｒを１周巻回してできている。よって、左リール６Ｌの外周面には、左リールテープ７Ｌに描かれた図柄が、中リール６Ｃの外周面には、中リールテープ７Ｃに描かれた図柄が、右リール６Ｒの外周面には、右リールテープ７Ｒに描かれた図柄がそれぞれ付されている。
【００１３】
各リール６Ｌ，６Ｃ，６Ｒはいずれも回転可能に支持されている。具体的には、各々の中心軸線が当該リール６Ｌ，６Ｃ，６Ｒの回転軸線となるように支持されている。各リール６Ｌ，６Ｃ，６Ｒの回転軸線は、同一軸線上に配設されており、図１および図２に示すように、それぞれのリール６Ｌ，６Ｃ，６Ｒが各表示窓５Ｌ，５Ｃ，５Ｒと１対１で対応している。よって、各リール６Ｌ，６Ｃ，６Ｒの外周面の一部が、それぞれ対応する表示窓５Ｌ，５Ｃ，５Ｒを通して視認可能な状態となっている。
【００１４】
また、リール６Ｌ，６Ｃ，６Ｒが回転すると、各表示窓５Ｌ，５Ｃ，５Ｒを通して、リール６Ｌ，６Ｃ，６Ｒの外周面が上から下へ向かって移動しているかのように映し出される。これにより、各リール６Ｌ，６Ｃ，６Ｒの外周面に付された図柄が、各表示窓５Ｌ，５Ｃ，５Ｒの枠内にて上から下に変動表示されることになる。
【００１５】
また、遊技者に視認可能な図柄数は、リール６Ｌ，６Ｃ，６Ｒ毎に３個ずつとなっている（図２中の破線で示す丸印を参照）。このため、各リール６Ｌ，６Ｃ，６Ｒがいずれも停止している状態では、９個の図柄が表示窓５Ｌ，５Ｃ，５Ｒを通じて視認可能である。
【００１６】
また、本スロットマシン１には、図２に示すように、各リール６Ｌ，６Ｃ，６Ｒの図柄が視認可能となる位置を一直線に結んだ有効ラインＬ１が設定されている。この有効ラインＬ１は、図２の一点鎖線で示す、左リール６Ｌの中段図柄，中リール６Ｃの中段図柄，右リール６Ｒの中段図柄を結んだラインである。なお、上述の有効ラインＬ１をなしている各表示窓５Ｌ，５Ｃ，５Ｒ内の位置を所定の位置ともいう。
【００１７】
有効ラインＬ１上に、遊技役に応じた停止表示図柄が停止した場合に、その遊技役が成立する。遊技役が成立した場合には、遊技媒体である遊技メダル（以下、単にメダルともいう）が所定数払い出される特典や、遊技状態が移行する特典や、再遊技の特典が付与される。遊技役、図柄の組み合わせおよび遊技役の成立時の特典については、後ほど詳述する。
【００１８】
なお例えば、左リール６Ｌの上段図柄，中リール６Ｃの上段図柄，右リール６Ｒの上段図柄を結んだラインや、左リール６Ｌの下段図柄，中リール６Ｃの下段図柄，右リール６Ｒの下段図柄を結んだラインや、左リール６Ｌの上段図柄，中リール６Ｃの中段図柄，右リール６Ｒの下段図柄を結んだライン等、有効ラインＬ１以外の一直線のラインを有効ラインとしてもよい。また例えば、左リール６Ｌの上段図柄，中リール６Ｃの中段図柄，右リール６Ｒの上段図柄を結んだラインや、左リール６Ｌの下段図柄，中リール６Ｃの中段図柄，右リール６Ｒの下段図柄を結んだライン等、一直線ではなく左右対称型のラインを有効ラインとしてもよい。また例えば、左リール６Ｌの上段図柄，中リール６Ｃの中段図柄，右リール６Ｒの中段図柄を結んだラインや、左リール６Ｌの下段図柄，中リール６Ｃの中段図柄，右リール６Ｒの中段図柄を結んだライン等、一直線ではなく左右非対称型のラインを有効ラインとしてもよい。また、上述した各ラインを複数用いて、有効ラインを複数設けてもよい。
【００１９】
また、表示パネルＰの下方左側には、各リール６Ｌ，６Ｃ，６Ｒの回転を開始させるために遊技者が操作可能なスタートレバー８が設けられている（図１および図２参照）。所定の数（遊技開始可能枚数）のメダルが投入されているときにスタートレバー８が操作されると、各リール６Ｌ，６Ｃ，６Ｒの回転が開始されて、表示窓５Ｌ，５Ｃ，５Ｒを通して図柄の変動表示が開始される。なお本実施形態では、遊技状態によらず遊技開始可能枚数は「３」である。つまり、本スロットマシン１は３枚掛け専用機である。
【００２０】
また、表示パネルＰの下方中央、且つ、スタートレバー８の右方には、回転中の各リール６Ｌ，６Ｃ，６Ｒを個別に停止させることが可能なストップボタン（停止操作部）９Ｌ，９Ｃ，９Ｒが設けられている（図１および図２参照）。
【００２１】
左ストップボタン９Ｌは、左リール６Ｌの回転駆動を停止させることが可能なものである。よって、左リール６Ｌの回転中に遊技者が左ストップボタン９Ｌを操作（押圧操作）した場合には、その操作に基づいて左リール６Ｌの回転が停止する。これにより、左リール６Ｌに付された図柄が変動表示から停止表示になる。また、中ストップボタン９Ｃは、中リール６Ｃの回転駆動を停止させることが可能なものである。よって、中リール６Ｃの回転中に遊技者が中ストップボタン９Ｃを操作（押圧操作）した場合には、その操作に基づいて中リール６Ｃの回転が停止する。これにより、中リール６Ｃに付された図柄が変動表示から停止表示になる。また、右ストップボタン９Ｒは、右リール６Ｒの回転駆動を停止させることが可能なものである。よって、右リール６Ｒの回転中に遊技者が右ストップボタン９Ｒを操作（押圧操作）した場合には、その操作に基づいて右リール６Ｒの回転が停止する。これにより、右リール６Ｒに付された図柄が変動表示から停止表示になる。
【００２２】
また、表示パネルＰの右下側の前方には、メダル投入口１０が設けられている（図１および図２参照）。メダル投入口１０は、単位遊技（一遊技、スロットゲーム、あるいは単に遊技やゲームともいう）を行うためのベット操作としてメダルを本スロットマシン１に投入するためのものである。このメダル投入口１０内には、投入されたメダルを検出するための投入メダル検出センサ１０ａが設けられている。このため、メダル投入口１０にメダルが投入された場合には、メダルの投入があった旨の信号が投入メダル検出センサ１０ａから出力される。
【００２３】
また、メダル投入口１０の左方には、ＭＡＸベットボタン１１および１ベットボタン１２が設けられている（図１および図２参照）。本スロットマシン１は、余剰に投入したメダルや払い出されたメダルを、所定の最大値（具体的には５０枚）になるまで仮想メダルとして貯留記憶するクレジット機能を有している。このクレジット機能が有効な場合には、ＲＡＭ６４の所定の記憶領域に貯留記憶されている仮想メダルの枚数が、表示パネルＰ内の表示窓５Ｌ，５Ｃ，５Ｒの下方左側に設けたクレジット表示部２１に表示される（図２参照）。ＲＡＭ６４については、後ほど詳述する。
【００２４】
ＭＡＸベットボタン１１は、一回の押下操作に伴って、遊技開始可能枚数（具体的には「３」）まで仮想メダルを追加投入するためのベットボタンである。また、１ベットボタン１２は、一回の押下操作に伴い、仮想メダルを１枚投入するためのベットボタンである。よって、遊技者は、ＭＡＸベットボタン１１又は１ベットボタン１２を押下操作することで、クレジット機能で記憶されている仮想メダルを単位遊技に用いることが可能となっている。つまり、ＭＡＸベットボタン１１又は１ベットボタン１２の操作は、メダル（遊技媒体）の投入操作に該当する。
【００２５】
また、スタートレバー８の左方には、精算ボタン１４が設けられている（図１および図２参照）。精算ボタン１４は、上記クレジット機能を有効又は無効にするためのスイッチである。このため例えば、仮想メダルが貯留記憶されている状況下で精算ボタン１４を操作した場合には、クレジット表示部２１に表示されていた枚数のメダルとなって、後述のメダル払出口３８から払い出される。
【００２６】
また、表示パネルＰのうち各表示窓５Ｌ，５Ｃ，５Ｒの下方には、ＬＥＤ（Light Emitting Diode）からなるストップ報知ランプ３０Ｌ，３０Ｃ，３０Ｒがそれぞれ設けられている（図２参照）。具体的には、左表示窓５Ｌのすぐ下方に左ストップ報知ランプ３０Ｌが、中表示窓５Ｃのすぐ下方に中ストップ報知ランプ３０Ｃが、右表示窓５Ｒのすぐ下方に右ストップ報知ランプ３０Ｒがそれぞれ配置されている。つまり、ストップ報知ランプ３０Ｌ，３０Ｃ，３０Ｒは、リール６Ｌ，６Ｃ，６Ｒの各々の近傍にそれぞれある（図１および図２参照）。
【００２７】
これらストップ報知ランプ３０Ｌ，３０Ｃ，３０Ｒは、当選した小役３，小役４又は小役５の「正解押し順」の第１停止操作がストップボタン９Ｌ，９Ｃ，９Ｒのどのストップボタンの操作であるかを遊技者に報知するためのランプである。なお、小役３〜小役５、正解押し順および第１停止操作については、後ほど詳述する。
【００２８】
また、表示パネルＰのうち右表示窓５Ｒの下方には、払出枚数表示部２２、再遊技表示ランプ２３および投入可能表示ランプ２４が設けられている（図２参照）。払出枚数表示部２２は、２個の７セグメント表示器によって構成されており、遊技役の入賞に伴う払い出しの際にその枚数に応じたメダルの払出枚数を表示したり、遊技中に生じたエラーの情報（エラーコード）を表示したりする。また、再遊技表示ランプ２３は、点灯により、前回の単位遊技にて再遊技役が成立して、後述の自動ベット処理が行われたことを報知する。また、投入可能表示ランプ２４は、点灯により、メダルの投入が可能な状態であることを報知する。
【００２９】
また、上記クレジット表示部２１の左方には、ベット数表示ランプ２５および遊技開始表示ランプ２６が設けられている（図２参照）。ベット数表示ランプ２５は３つのランプからなり、ベット操作（メダル投入口１０へのメダル投入、自動ベット処理、ＭＡＸベットボタン１１又は１ベットボタン１２の操作）によって、投入されたメダル数に応じた数のランプが点灯する。また、遊技開始表示ランプ２６は、点灯により、遊技の開始が可能であること、すなわち、スタートレバー８の操作が可能な状態であることを報知する。
【００３０】
また、表示パネルＰのうち右表示窓５Ｒの右方下側の位置には、特殊役報知ランプ２７が設けられている（図２参照）。２つのランプからなる特殊役報知ランプ２７は、チェリー小役（小役１，小役９）又はスイカ小役（小役２）に当選した場合に、上記遊技役に対応したランプが点灯可能になっている。よって、チェリー小役に当選した場合には、特殊役報知ランプ２７のうちチェリー小役に対応したランプがリールの回転中に点灯可能である。また、スイカ小役に当選した場合には、特殊役報知ランプ２７のうちスイカ小役に対応したランプがリールの回転中に点灯可能である。つまり、特殊役報知ランプ２７の点灯により、チェリー小役又はスイカ小役に当選していることを遊技者に報知する。これにより遊技者は、当選しているチェリー小役又はスイカ小役の入賞の成立を狙って各リール６Ｌ，６Ｃ，６Ｒを停止可能となっている。なお、チェリー小役（小役１，小役９）およびスイカ小役（小役２）については、後ほど詳述する。
【００３１】
また、上記遊技開始表示ランプ２６の上方には、有利区間ランプ２９が設けられている（図２参照）。有利区間ランプ２９には点灯態様（以下、単に点灯ともいう）と消灯態様（以下、単に消灯ともいう）とがある。有利区間ランプ２９は、遊技状態がＲＴ遊技状態の場合に点灯し、非ＲＴ遊技状態やＢＢ遊技状態の場合に消灯する。この有利区間ランプ２９は、図２に示すように遊技者が視認できる位置にあるため、有利区間ランプ２９の点灯態様によって、遊技状態がＲＴ遊技状態なのか、それ以外の遊技状態（非ＲＴ遊技状態やＢＢ遊技状態）なのかを遊技者が把握可能となっている。
【００３２】
また、前面扉３の下部には、メダルを遊技者に払い出すためのメダル払出口３８と、そのメダル払出口３８によって払い出されたメダルを一定量まで貯留可能な受皿ユニット３９とが配設されている（図１および図２参照）。
【００３３】
一方、前面扉３の上部には、遊技の進行に伴い点灯したり点滅したりする複数の演出用ランプ４０と、遊技の進行に伴い種々の効果音などの音声を出力可能な左右一対のスピーカ４１と、遊技者に各種情報を表示可能な画像表示装置４２の表示画面４２ａとが設けられている。画像表示装置４２は、遊技の進行に伴って各種画像演出を実行するためのものである。
【００３４】
また、筐体４の内側にあたる前面扉３の裏側（図示しない）には、リセット／設定ボタン１９および設定表示部２８が設けられている。リセット／設定ボタン１９は、前面扉３が開状態のときに所定の操作が可能なものである。通常時には、エラー状態や打止状態を解除するためのリセットスイッチとして機能する。すなわち、通常時にリセット／設定ボタン１９の操作（押圧操作）がなされた場合には、ＲＡＭ６４に記憶されたデータが消去されて、ＲＡＭ６４の作業領域が初期化される。一方、設定変更時には、設定値を変更するための設定スイッチとして機能する。このとき設定表示部２８には、設定された設定値（「１」〜「６」のうちのいずれかの値）が点灯表示される。
【００３５】
また、本スロットマシン１のキャビネット２の内部（図示しない）には、メダル投入口１０から投入されたメダルを貯留するメダル金庫、メダル金庫に貯留されたメダルをメダル払出口３８から払い出すためのホッパー、および、電源ボックスが設けられている。電源ボックスには、本スロットマシン１への電源投入および電源断時の操作のための電源スイッチ９２、および、設定変更モードに切り替えるための設定キースイッチ１８が設けられている。
【００３６】
次に、図３を参照して、各リール６Ｌ，６Ｃ，６Ｒに付されている図柄について説明する。図３は、各リール６Ｌ，６Ｃ，６Ｒをなす帯状のリールテープ７Ｌ，７Ｃ，７Ｒの概念図である。左リールテープ７Ｌは左リール６Ｌに、中リールテープ７Ｃは中リール６Ｃに、右リールテープ７Ｒは右リール６Ｒにそれぞれ用いられる。図３に示すように、各リールテープ７Ｌ，７Ｃ，７Ｒには２０個の図柄が長手方向（図３中、上下方向）に沿って一列に描かれている。なお、図３において、各リールテープ７Ｌ，７Ｃ，７Ｒに対応して「１」〜「２０」のコマ番号を付しているが、これらのコマ番号は説明の便宜上付されたものであり、各リールテープ７Ｌ，７Ｃ，７Ｒ、さらには各リール６Ｌ，６Ｃ，６Ｒに実際に付されているものではない。また、各リールに付される図柄をそれぞれ２０個としたが、２１個等、他の個数としてもよい。
【００３７】
各リールテープ７Ｌ，７Ｃ，７Ｒには、複数種類の図柄が描かれている。具体的には「赤セブン１」図柄、「赤セブン２」図柄、「赤セブン３」図柄、「チェリー１」図柄、「チェリー２」図柄、「スイカ１」図柄、「スイカ２」図柄、「ベル」図柄、「リプレイ」図柄、「ブランク１」図柄、「ブランク２」図柄および「ブランク３」図柄がある（図３参照）。
【００３８】
なお、本実施形態では、「チェリー１」図柄および「チェリー２」図柄は、見た目上、同一の図柄を用いている。但し、リール制御上では、識別可能となっている。これら「チェリー１」図柄および「チェリー２」図柄を総称して「チェリー」図柄という。「スイカ１」図柄および「スイカ２」図柄もまた、見た目上、同一の図柄を用いているが、リール制御上では、識別可能となっている。これら「スイカ１」図柄および「スイカ２」図柄を総称して「スイカ」図柄という。「ブランク１」図柄、「ブランク２」図柄および「ブランク３」図柄もまた、見た目上、同一の図柄を用いているが、リール制御上では、識別可能となっている。これら「ブランク１」図柄、「ブランク２」図柄および「ブランク３」図柄を総称して「ブランク」図柄という。
【００３９】
なお、「チェリー１」図柄および「チェリー２」図柄は、見た目上、互いに異なる図柄であってもよい。また、「スイカ１」図柄および「スイカ２」図柄は、見た目上、互いに異なる図柄であってもよい。また、「ブランク１」図柄、「ブランク２」図柄および「ブランク３」図柄の少なくとも１つの図柄が、他の図柄と異なる図柄であってもよい。また、リールの図柄として上記１２種類の図柄を用いた形態としたが、１３種類以上の図柄を用いた形態や、２〜１１種類の図柄を用いた形態としてもよい。
【００４０】
２．スロットマシンが備える回路の構成
次に、図４および図５を参照しつつ、本スロットマシン１の回路の構成（電気的な接続構成）について説明する。図４に示す主制御基板６０は、回路基板上に設置されたマイクロコンピュータ（遊技制御用マイコン）６１を主たる構成要素とした基板（電子回路基板）である。遊技制御用マイコン６１は、ＣＰＵ（Central Processing Unit）６２、ＲＯＭ（Read Only Memory）６３、ＲＡＭ（Random Access Memory）６４およびＩ／Ｏ（入出力回路）６９によって構成されている。
【００４１】
ＣＰＵ６２は、ＲＯＭ６３に記憶された制御プログラムに基づいて、遊技に関する制御を行う。ＣＰＵ６２には、クロックパルスを発生させるためのクロックパルス発生回路（図示しない）や、所定範囲の乱数（例えば、０〜６５５３５）を発生させるための乱数発生器（図示しない）や、発生させた乱数の中から用途に応じて少なくとも１つの値を抽出するサンプリング回路（図示しない）が接続されている。ＣＰＵ６２は、上記クロックパルス発生回路により発生するクロックパルスに基づいて制御プログラムを実行する。また、サンプリング回路によって抽出した乱数値を用いて、例えば遊技役の決定（抽選）などを行う。
【００４２】
ＲＯＭ６３は、上記制御プログラムのほかに、後述の遊技役判定テーブル等のテーブルデータや、後述のサブ制御基板７０に送信するための各種コマンド等を記憶している。ＲＡＭ６４は、制御プログラムの実行により決定された各種データを格納する格納領域を備えている。
【００４３】
上述の遊技制御用マイコン６１には、下記に示す各種センサ類、表示部類、駆動用モータ類および基板類が接続されている。すなわち、遊技制御用マイコン６１には、図４に示すスタート検出センサ８ａ、投入メダル検出センサ１０ａ、ＭＡＸベット検出センサ１１ａおよび１ベット検出センサ１２ａが接続されている。スタート検出センサ８ａは、スタートレバー８の操作を検出して信号を出力する。また、投入メダル検出センサ１０ａは、上述のメダル投入口１０に投入されたメダルを検出して信号を出力する。すなわち、投入メダル検出センサ１０ａは、メダル投入口１０へのメダルの投入操作を検出して主制御基板６０に検出信号を出力する。ＭＡＸベット検出センサ１１ａは、ＭＡＸベットボタン１１の操作（押下操作）を検出して信号を出力する。また、１ベット検出センサ１２ａは、１ベットボタン１２の操作（押下操作）を検出して信号を出力する。すなわち、ＭＡＸベット検出センサ１１ａおよび１ベット検出センサ１２ａはいずれも、仮想メダルを用いた投入操作を検知して遊技制御用マイコン６１（主制御基板６０）に検出信号を出力する。
【００４４】
また、遊技制御用マイコン６１には、回胴検出センサ５０ａ、払出メダル検出センサ５２ａ、および、３つのリール位置検出センサ５６Ｌａ，５６Ｃａ，５６Ｒａが接続されている（図４参照）。回胴検出センサ５０ａは、各リール６Ｌ，６Ｃ，６Ｒの回転速度が所定の設定速度に達した場合に信号を出力する。払出メダル検出センサ５２ａは、ホッパー（ホッパー用モータ５１）の駆動により外部に払い出されたメダルを検出して信号を出力する。３つのリール位置検出センサ５６Ｌａ，５６Ｃａ，５６Ｒａは、各リール６Ｌ，６Ｃ，６Ｒのリール基準位置（例えば、図３に示すコマ番号「１」の位置）がどこに停止しているかをそれぞれ検出して信号を出力する。
【００４５】
また、３つのストップ検出センサ９Ｌａ，９Ｃａ，９Ｒａが接続されている（図４参照）。ストップ検出センサ９Ｌａ，９Ｃａ，９Ｒａは、各ストップボタン９Ｌ，９Ｃ，９Ｒの操作（押圧操作）をそれぞれ検出して信号を出力する。具体的に、左ストップ検出センサ９Ｌａは、左ストップボタン９Ｌの操作を検出して操作信号を出力する。また、中ストップ検出センサ９Ｃａは、中ストップボタン９Ｃの操作を検出して操作信号を出力する。また、右ストップ検出センサ９Ｒａは、右ストップボタン９Ｒの操作を検出して操作信号を出力する。よって、いずれか１つのストップボタンが操作された場合には、その操作されたストップボタンに対応したストップ検出センサから遊技制御用マイコン６１（主制御基板６０）に操作信号が出力される。
【００４６】
また、精算検出センサ１４ａ、扉開放検出センサ１７ａ、設定キー検出センサ１８ａ、および、リセット／設定検出センサ１９ａが接続されている（図４参照）。精算検出センサ１４ａは、精算ボタン１４の押圧操作を検出して信号を出力する。扉開放検出センサ１７ａは、前面扉３の開放を検出して信号を出力する。設定キー検出センサ１８ａは、設定キースイッチ１８の設定変更モードへの切り替え操作を検出して信号を出力する。リセット／設定検出センサ１９ａは、リセット／設定ボタン１９の押圧操作を検出して信号を出力する。
【００４７】
また、遊技制御用マイコン６１には、上述の各種表示部（具体的には、クレジット表示部２１、払出枚数表示部２２、再遊技表示ランプ２３、投入可能表示ランプ２４、ベット数表示ランプ２５、遊技開始表示ランプ２６、特殊役報知ランプ２７、設定表示部２８およびストップ報知ランプ３０Ｌ，３０Ｃ，３０Ｒ）が接続されている（図４参照）。このため、遊技制御用マイコン６１は、各種表示用ランプの制御（例えば、点灯や消灯や数値の表示についての制御）が可能となっている。
【００４８】
また、遊技制御用マイコン６１には、メダルを払い出し可能なホッパーの駆動源であるホッパー用モータ５１、および、各リール６Ｌ，６Ｃ，６Ｒを回転駆動させるためのリール用モータ５５Ｌ，５５Ｃ，５５Ｒが接続されている。本実施形態のリール用モータ５５Ｌ，５５Ｃ，５５Ｒはいずれもステッピングモータからなり、各リール６Ｌ，６Ｃ，６Ｒにそれぞれ連結している。各リール用モータ５５Ｌ，５５Ｃ，５５Ｒは、各リール６Ｌ，６Ｃ，６Ｒをそれぞれ独立して回転駆動させ得る。かくして遊技制御用マイコン６１は、ホッパーによるメダルの払い出しについての制御、および、リール用モータ５５Ｌ，５５Ｃ，５５Ｒによる各リール６Ｌ，６Ｃ，６Ｒの駆動制御が可能となっている。
【００４９】
また、遊技制御用マイコン６１には、電源基板９０が接続されている（図４参照）。電源基板９０は、主制御基板６０に加えて、後述のサブ制御基板７０および画像制御基板８０に電力を供給するための基板である。なお、この電源基板９０上には上述の電源スイッチ９２が設置されている。
【００５０】
また、遊技制御用マイコン６１には、図５に示すサブ制御基板７０が接続されている。サブ制御基板７０は、回路基板上に設置されたマイクロコンピュータ（演出制御用マイコン）７１を主たる構成要素とした基板である。この演出制御用マイコン７１は、上記遊技制御用マイコン６１と同じように、ＣＰＵ７２、ＲＯＭ７３、ＲＡＭ７４およびＩ／Ｏ７９によって構成されている。
【００５１】
ＣＰＵ７２は、主制御基板６０から送信されたコマンドに応じて、ＲＯＭ７３に記憶された制御プログラムに基づいて、画像を用いた演出やランプを用いた演出や音声を用いた演出に関する制御を行う。このＣＰＵ７２には、主制御基板６０の上記ＣＰＵ６２と同じように、図示しない乱数発生器およびサンプリング回路が接続されており、そのサンプリング回路によって抽出した乱数値を用いて、例えば演出パターンの選定などを行う。ＲＯＭ７３は、上記制御プログラムや各種データ等を記憶している。ＲＡＭ７４は、決定された演出内容や演出データを登録する格納領域や、主制御基板６０から送信される各種データを格納する格納領域を備えている。
【００５２】
また本実施形態では、サブ制御基板７０から主制御基板６０への情報伝達（信号の伝送）は不可能となっている。つまり、サブ制御基板７０からの信号が主制御基板６０へ出力されることはない。
【００５３】
また、演出制御用マイコン７１には、スピーカ４１が接続されており（図５参照）、演出制御用マイコン７１が、スピーカ４１からの音声、楽曲、効果音等の音声出力を制御する。
【００５４】
また、演出制御用マイコン７１には、上述の演出用ランプ４０やバックランプ５８Ｌ，５８Ｃ，５８Ｒ等のランプが接続されている（図５参照）。バックランプ５８Ｌ，５８Ｃ，５８Ｒは、各リール６Ｌ，６Ｃ，６Ｒの内側にそれぞれ配設されたランプである。各バックランプ５８Ｌ，５８Ｃ，５８Ｒは、点灯によって、各リール６Ｌ，６Ｃ，６Ｒの外周面に付された図柄をリール内から照らすことが可能となっている。
【００５５】
演出制御用マイコン７１は上記ランプの点灯制御を行う。具体的には、演出用ランプ４０やバックランプ５８Ｌ，５８Ｃ，５８Ｒのランプの発光態様を決める発光パターンデータ（点灯や消灯や発光色等を決めるデータ、ランプデータともいう）を作成し、発光パターンデータに従ってランプの発光を制御する。なお、発光パターンデータの作成にはサブ制御基板７０のＲＯＭ７３に格納されているデータを用いる。
【００５６】
なお、サブ制御基板７０には、上記遊技制御用マイコン６１と同様、上述の電源基板９０が接続されている（図４および図５参照）。
【００５７】
また、演出制御用マイコン７１には、図５に示す画像制御基板８０が接続されている。画像制御基板８０はＣＰＵ８２、ＲＯＭ８３、ＲＡＭ８４、ＶＤＰ（Video Display Processor）８５、ＣＧＲＯＭ（画像データＲＯＭともいう）８６、ＶＲＡＭ（ビデオＲＡＭともいう）８７およびＩ／Ｏ８９を備えている（図５参照）。
【００５８】
ＣＰＵ８２は、主に画像表示装置４２の表示制御を行う。ＲＯＭ８３は、このＣＰＵ８２が実行するプログラムを格納している。ＲＡＭ８４は、ＣＰＵ８２の処理時にそのワークメモリとして機能する。
【００５９】
また、ＶＤＰ８５は、画像表示装置４２に表示する画像（主に動画像（映像））を出力する。ＣＧＲＯＭ８６は、画像表示装置４２に表示する画像の画像要素データを格納している。すなわち、画像表示装置４２に表示する各種演出画像に用いるための各画像（具体的には、キャラクタ（例えば、人物やマスコットや、人物又はマスコットを模した（デフォルメした）もの）の画像であるキャラクタ画像や、このキャラクタ画像に用いられるキャラクタ以外の物体、図形等の画像であるオブジェクト画像や、数字や記号等を含む文字画像や、背景画像など）の画像要素データを格納している。ＶＲＡＭ８７は、ＶＤＰ８５と接続されており、画像要素データを画像出力データに展開するためのメモリとして機能する。つまり、ＶＤＰ８５が画像要素データを画像出力データに展開するためのフレームバッファメモリである。
【００６０】
画像制御基板８０のＣＰＵ８２は、サブ制御基板７０から画像演出に関するコマンド（例えば、後述するモード開始コマンドや演出態様コマンド等）を受信すると、上記ＶＤＰ８５、ＣＧＲＯＭ８６およびＶＲＡＭ８７を用いて、受信した上記コマンドに基づき画像表示装置４２における画像演出の表示制御を行う。すなわち、ＶＤＰ８５に、ＣＧＲＯＭ８６から読み出した画像要素データをＶＲＡＭ８７に展開させて、画像表示装置４２の表示画面４２ａに表示し得る画像出力データ（フレーム画像データ）を作成させる。そして、その画像出力データを、Ｉ／Ｏ８９を通じて画像信号（ビデオ信号）で画像表示装置４２に出力させる。
【００６１】
なお、画像制御基板８０には、上記主制御基板６０および上記サブ制御基板７０と同様、上述の電源基板９０が接続されている（図４および図５参照）。
【００６２】
上述したように、サブ制御基板７０が音声演出とランプ演出とを制御して、画像制御基板８０が画像演出を制御している。そこで本実施形態では、サブ制御基板７０と画像制御基板８０とをまとめて、遊技に伴う演出を制御可能な演出制御部という。
【００６３】
３．遊技状態
本スロットマシン１には、図６に示すＲＴ遊技状態、ＢＢ遊技状態および非ＲＴ遊技状態がある。非ＲＴ遊技状態は通常の遊技状態であり、ＲＴ遊技状態は非ＲＴ遊技状態よりも再遊技役が成立し易いリプレイタイム（ＲＴ）であり、ＢＢ遊技状態はビッグボーナス（ＢＢ）中の遊技状態である。ビッグボーナスとは、本実施形態では、連続する複数のゲームにわたって非ＲＴ遊技状態よりも小役３〜小役５の入賞が成立し易い、遊技者にとって有利な状態である。
【００６４】
ＲＴ遊技状態は、非ＲＴ遊技状態よりも再遊技役に当選する確率が高く設定されている遊技状態である。このように、通常状態（非ＲＴ遊技状態）よりも再遊技役の当選確率が高くなっている状態（ＲＴ遊技状態）を特にリプレイタイムという。具体的には、再遊技役に割り当てられている乱数値の数について、上述の非ＲＴ遊技状態よりもＲＴ遊技状態の方が多くなっている（図９参照）。よって、遊技状態がＲＴ遊技状態のときには、非ＲＴ遊技状態のときよりも再遊技役に当選し易く、複数回の単位遊技にわたってメダルの減りを抑えることが可能となっている。その点で、ＲＴ遊技状態は、非ＲＴ遊技状態よりも遊技者に有利な状態であると言える。
【００６５】
本実施形態では、遊技状態がＢＢ遊技状態のときに条件Ｂが成立した場合には、ＢＢ遊技状態からＲＴ遊技状態に遊技状態が移行される（図６参照）。条件Ｂとは、ＢＢ遊技状態中の複数の単位遊技で払い出されたメダルの総数が所定の閾値（本実施形態では「３００」）以上に達することである。また、遊技状態がＲＴ遊技状態のときに、条件Ｃが成立した場合には、ＲＴ遊技状態から非ＲＴ遊技状態に遊技状態が移行される（図６参照）。条件Ｃとは、ＲＴ遊技状態中の単位遊技の回数が所定回数（本実施形態では「３０回」）に達することである。
【００６６】
また、遊技状態がＲＴ遊技状態のときには、ＡＴ（アシストタイム）が設定される。ＡＴとは、当選している遊技役についての当選の報知や押し順に関する報知を行う機能のことである。なお、ＲＴ遊技状態においてＡＴが設定された状態を、特にアシストリプレイタイム（ＡＲＴ）という。
【００６７】
例えば、ＲＴ遊技状態中に、小役３、小役７および小役８に重複当選した場合には、小役３の正解押し順の第１停止操作についての報知がなされる。具体的には、左ストップ報知ランプ３０Ｌを用いた左ストップボタン９Ｌの押圧操作に関する報知がなされたり、画像表示装置４２を用いた後述の入賞操作報知演出がなされたりする。また例えば、小役４、小役６および小役８に重複当選した場合には、小役４の正解押し順の第１停止操作についての報知がなされる。また、例えば、小役５、小役６および小役７に重複当選した場合には、小役５の正解押し順の第１停止操作についての報知がなされる。かくして、ＲＴ遊技状態で小役３〜小役８に当選した場合には、遊技者が、小役３、小役４又は小役５を成立（小役３、小役４又は小役５の入賞を成立）させ易くなっている。
【００６８】
また例えば、チェリー小役（小役１，小役９）又はスイカ小役（小役２）に当選した場合には、その当選の報知がなされる。具体的には、特殊役報知ランプ２７を用いたチェリー小役又はスイカ小役の当選に関する報知がなされたり、画像表示装置４２を用いた遊技役報知演出がなされたりする。よって、ＲＴ遊技状態でチェリー小役又はスイカ小役に当選した場合には、遊技者にその当選を把握させることが可能であり、停止操作によってチェリー小役又はスイカ小役の成立を遊技者に狙わせることが可能となっている。
【００６９】
ビッグボーナス（ＢＢ）中に設定されるＢＢ遊技状態は、遊技者にとって非ＲＴ遊技状態よりも有利な遊技条件が設定される特別な遊技状態である。具体的には、小役３，小役７，小役８の重複当選、小役４，小役６，小役８の重複当選、ならびに、小役５，小役６，小役７の重複当選に割り当てられている乱数値の数（総数）について、非ＲＴ遊技状態よりもＢＢ遊技状態の方が多くなっている。よって、遊技状態がＢＢ遊技状態のときには、遊技状態が非ＲＴ遊技状態のときよりも小役３〜小役８に当選し易くなっている。なお、重複当選については後ほど詳述する。
【００７０】
また、遊技状態がＢＢ遊技状態のときにはＡＴが設定される。よって、ＢＢ遊技状態で小役３〜小役８に当選した場合には、ＲＴ遊技状態と同様、小役３、小役４又は小役５が成立し易くなっている。しかも、小役３〜小役５の成立時の払出枚数を小役６〜小役８の払出枚数よりも相対的に多く設定している（後述の図７参照）。よって、ＢＢ遊技状態では、小役３〜小役８に当選し易い上、それらに当選した場合、小役３、小役４又は小役５が成立し易く、一回の単位遊技でより多くのメダルを遊技者に獲得させ易い。そのような点で、本実施形態のＢＢ遊技状態には、非ＲＴ遊技状態よりも遊技者に有利な遊技条件が設定されている。
【００７１】
また例えば、ＢＢ遊技状態中にチェリー小役（小役１）又はスイカ小役（小役２）に当選した場合に、その当選の報知がなされる。具体的には、特殊役報知ランプ２７を用いたチェリー小役又はスイカ小役の当選に関する報知がなされたり、画像表示装置４２を用いた遊技役報知演出がなされたりする。よって、ＢＢ遊技状態でチェリー小役又はスイカ小役に当選した場合には、遊技者にその当選を把握させることが可能であり、停止操作によってチェリー小役又はスイカ小役の成立（チェリー小役又はスイカ小役の入賞の成立）を遊技者に狙わせることが可能となっている。
【００７２】
本実施形態では、遊技状態が非ＲＴ遊技状態又はＲＴ遊技状態のときに、条件Ａが成立した場合には、ＢＢ遊技状態に遊技状態が移行される（図６参照）。条件Ａとは、遊技役の抽選にてビッグボーナス（ＢＢ）役が成立（ＢＢ役の入賞が成立）することである。よって、ＢＢ役の入賞を契機に遊技状態がＢＢ遊技状態に移行して、ビッグボーナスが開始されることになり、遊技者は、非ＲＴ遊技状態よりも効率良くメダルを獲得することが可能となる。
【００７３】
また、遊技状態がＢＢ遊技状態のときに上述の条件Ｂが成立した場合には、ＢＢ遊技状態が終了してＲＴ遊技状態に遊技状態が移行される（図６参照）。つまり、条件ＢとはＲＴ遊技状態の開始条件に加えて、ＢＢ遊技状態の終了条件でもある。
【００７４】
上記ＲＴ遊技状態およびＢＢ遊技状態に対し、非ＲＴ遊技状態は、標準となる通常の遊技状態である。本実施形態では、遊技状態が非ＲＴ遊技状態のときに上述の条件Ａが成立した場合には、非ＲＴ遊技状態からＢＢ遊技状態に遊技状態が移行される（図６参照）。つまり、条件ＡとはＢＢ遊技状態の開始条件に加えて、非ＲＴ遊技状態の終了条件でもある。
【００７５】
また、遊技状態がＲＴ遊技状態のときに上述の条件Ｃが成立した場合には、ＲＴ遊技状態から非ＲＴ遊技状態に遊技状態が移行される（図６参照）。つまり、条件ＣとはＲＴ遊技状態の終了条件に加えて、非ＲＴ遊技状態の開始条件でもある。
【００７６】
遊技状態が非ＲＴ遊技状態のときにはＡＴ（アシストタイム）が設定されない。このため例えば、非ＲＴ遊技状態中に小役３〜小役８に当選した場合には、払出枚数が相対的に多い小役３、小役４および小役５の正解押し順の第１停止操作についての報知はなされない。よって、小役３〜小役８に当選しても、遊技者が小役３、小役４および小役５を成立させ難い。
【００７７】
４．遊技役
次に、本実施形態の遊技役について説明する。単位遊技における各遊技役の当否（当選か否か）は、遊技開始表示ランプ２６の点灯中にスタートレバー８が操作された時に、後述の当選役決定処理（ステップS204）にて決定可能となっている。そして、有効ラインＬ１上に停止表示された各リール６Ｌ，６Ｃ，６Ｒの３つの図柄の組み合わせ（停止表示図柄）が、当選フラグがＯＮである遊技役に対応する図柄の組み合わせと一致した場合には、遊技役が成立したとして、遊技者に有利な特典（例えば、所定枚数のメダルの払い出しや遊技状態の移行など）が付与されることとなる。なお、メダルの払い出しとは、メダルがメダル払出口３８から払い出されることや、クレジット機能が有効である場合にクレジット表示部２１に表示される数値（仮想メダルの数）が増えることをいう。
【００７８】
図７には、本実施形態の遊技役の種類と遊技役の成立に伴って払い出されるメダルの払出枚数とを示す。また、図８には、遊技役に応じた有効ライン上の停止表示図柄を示す。本実施形態では、１種類のＢＢ役と、小役１〜小役９の９種類の小役と、再遊技役との計１１種類の遊技役がある。
【００７９】
ＢＢ役は、役の成立によって、次回の単位遊技から上記ＢＢ遊技状態に遊技状態が移行される遊技役である。つまり、ＢＢ役の成立がＢＢ遊技状態への移行契機となっている。このため、ＢＢ役が成立した単位遊技の次の単位遊技から上述した条件Ｂが成立するまでの間、遊技状態がＢＢ遊技状態に制御される。なお本実施形態では、ＢＢ役の成立によるメダルの払い出しはない（図７参照）。また、上述したように、ＢＢ役の成立がＡＴの設定契機になっている。
【００８０】
図８に示すように、有効ラインＬ１上に「赤セブン」図柄の３つ揃いが停止表示された場合にＢＢ役が成立する（「ＢＢ役０１」）。詳細には、有効ラインＬ１上に左から「赤セブン２」図柄、「赤セブン１」図柄および「赤セブン２」図柄が停止表示された場合に「ＢＢ役０１」が成立する。
【００８１】
また、本実施形態では、有効ラインＬ１とは異なる直線状のライン（以下、疑似ラインともいう）上に「赤セブン」図柄の３つ揃いが停止表示された場合でも２種類のＢＢ役（「ＢＢ役０２」および「ＢＢ役０３」）が成立する。詳細には、左リール上段図柄に「赤セブン１」図柄、中リール上段図柄に「赤セブン１」図柄および右リール上段図柄に「赤セブン１」図柄がそれぞれ停止表示された場合に「ＢＢ役０２」が成立する。一方、左リール下段図柄に「赤セブン３」図柄、中リール下段図柄に「赤セブン１」図柄および右リール下段図柄に「赤セブン３」図柄がそれぞれ停止表示された場合に「ＢＢ役０３」が成立する。
【００８２】
すなわち、本実施形態では、左表示窓５Ｌに「赤セブン１」図柄、「赤セブン２」図柄および「赤セブン３」図柄が、右表示窓５Ｒに「赤セブン１」図柄、「赤セブン２」図柄および「赤セブン３」図柄がそれぞれ停止表示された上で、中リール６Ｃの上段図柄、中段図柄又は下段図柄が「赤セブン１」図柄の場合にＢＢ役が成立する。
【００８３】
小役１および小役９は、役の成立によってメダルの払い出しを伴う遊技役（払出役）である。なお、小役１および小役９について「チェリー小役」ともいう。図８に示すように、有効ラインＬ１上に上記「チェリー」図柄の３つ揃いが停止表示された場合に、２種類のチェリー小役（「チェリー役０１」および「チェリー役０２」）が成立する。また、上述の疑似ライン上に「チェリー」図柄の３つ揃いが停止表示された場合に、６種類のチェリー小役（「チェリー役０３」〜「チェリー役０８」）が成立する。
【００８４】
小役２は、役の成立によってメダルの払い出しを伴う遊技役（払出役）である。なお、この小役２について「スイカ小役」ともいう。図８に示すように、有効ラインＬ１上に上記「スイカ」図柄の３つ揃いが停止表示された場合に、４種類のスイカ小役（「スイカ役０１」〜「スイカ役０４」）が成立する。また、上述の疑似ライン上に「スイカ」図柄の３つ揃いが停止表示された場合に、６種類のスイカ小役（「スイカ役０５」〜「スイカ役１２」）が成立する。
【００８５】
小役３、小役４および小役５は、役の成立によってメダルの払い出しを伴う遊技役（払出役）である。これら小役３〜小役５について「第１ベル小役」ともいう。図８に示すように、有効ラインＬ１上に上記「ベル」図柄の３つ揃いが停止表示された場合に、１種類の第１ベル小役（「第１ベル役０１」）が成立する。また、上述の疑似ライン上に「ベル」図柄の３つ揃いが停止表示された場合に、５種類の第１ベル小役（「第１ベル役０２」〜「第１ベル役０６」）が成立する。
【００８６】
なお、小役３、小役４および小役５には、リール６Ｌ，６Ｃ，６Ｒを停止させる際のストップボタン９Ｌ，９Ｃ，９Ｒの「正解押し順」（所定の操作順）が設定されている。このため、例えば小役３の当選時に、小役３に設定されている正解押し順の通りにストップボタン９Ｌ，９Ｃ，９Ｒが押圧操作された場合には、有効ラインＬ１、又は、上述の疑似ライン上に「ベル」図柄の３つ揃いが停止表示されて、小役３が成立する。なお、小役３に当選時に、正解押し順の通りにストップボタン９Ｌ，９Ｃ，９Ｒが操作されなければ、有効ラインＬ１上にも疑似ライン上にも「ベル」図柄の３つ揃いが停止表示されず、小役３は成立しない。小役４および小役５についても同様である。
【００８７】
また、小役３に設定されている正解押し順、小役４に設定されている正解押し順、および、小役５に設定されている正解押し順は互いに異なっている。すなわち、小役３に設定されている正解押し順は、左ストップボタン９Ｌを１番目に、残りの２つのストップボタン（中ストップボタン９Ｃ，右ストップボタン９Ｒ）のいずれか一方を２番目に押圧操作する操作順である。小役４に設定されている正解押し順は、中ストップボタン９Ｃを１番目に、残りの２つのストップボタン（左ストップボタン９Ｌ，右ストップボタン９Ｒ）のいずれか一方を２番目に押圧操作する操作順である。小役５に設定されている正解押し順は、右ストップボタン９Ｒを１番目に、残りの２つのストップボタン（左ストップボタン９Ｌ，中ストップボタン９Ｃ）のいずれか一方を２番目に押圧操作する操作順である。
【００８８】
なお、小役３、小役４および小役５のいずれの正解押し順も、１番目に押圧操作するストップボタンだけが特定されており、２番目以降に操作するストップボタンが特定されていない。つまり、第１ベル小役の正解押し順は、３つのストップボタン９Ｌ，９Ｃ，９Ｒから１番目に停止させるストップボタンのみを遊技者に選択させる「３択」方式である。
【００８９】
本実施形態では、全てのリール６Ｌ、６Ｃ、６Ｒが回転しているときに最初に行われるストップボタンの押圧操作（リールの停止操作）を第１停止操作、第１停止操作の次に行われる停止操作を第２停止操作、第２停止操作の次に行われる停止操作を第３停止操作という。
【００９０】
小役６、小役７および小役８は、役の成立によってメダルの払い出しを伴う遊技役である。なお、これら小役６〜小役８について「第２ベル小役」ともいう。また、上述の第１ベル小役とともに、単に「ベル小役」ともいう。図８に示すように、有効ラインＬ１上に左から「ベル」図柄，「チェリー」図柄，「ベル」図柄が停止表示された場合に、２種類の第２ベル小役（「第２ベル役０１」および「第２ベル役０２」）が成立する。また、上述の疑似ライン上に左から「ベル」図柄，「チェリー」図柄，「ベル」図柄が停止表示された場合に、１０種類の第２ベル小役（「第２ベル役０３」〜「第２ベル役１２」）が成立する。
【００９１】
また、小役６、小役７および小役８は、上述の小役３〜小役５と同じように、リール６Ｌ，６Ｃ，６Ｒを停止させる際のストップボタン９Ｌ，９Ｃ，９Ｒの押し順（操作順）が設定されている。このため、例えば小役６の当選時に、小役６に設定されている押し順の通りにストップボタン９Ｌ，９Ｃ，９Ｒが押圧操作された場合には、有効ラインＬ１、又は、疑似ライン上に左から「ベル」図柄，「チェリー」図柄，「ベル」図柄が停止表示されて、小役６が成立する。小役７および小役８についても同様である。
【００９２】
また、小役６に設定されている押し順、小役７に設定されている押し順、および、小役８に設定されている押し順は互いに異なっている。小役６に設定されている押し順は、第１停止操作として左ストップボタン９Ｌを、第２停止操作として残りの２つのストップボタンのいずれか一方を押圧操作する操作順である。小役７に設定されている押し順は、第１停止操作として中ストップボタン９Ｃを、第２停止操作として残りの２つのストップボタンのいずれか一方を押圧操作する操作順である。小役８に設定されている押し順は、第１停止操作として右ストップボタン９Ｒを、第２停止操作として残りの２つのストップボタンのいずれか一方を押圧操作する操作順である。
【００９３】
なお、本実施形態では、遊技役の抽選によって小役３とともに小役７および小役８が重複して当選する。同様に、小役４とともに小役６および小役８が重複して当選し、小役５とともに小役６および小役７が重複して当選する。よって、小役３〜小役８の当選時、小役３、小役４又は小役５の正解押し順に各ストップボタン９Ｌ，９Ｃ，９Ｒが押圧操作された場合には、小役３、小役４又は小役５が成立することになる。一方、小役３、小役４又は小役５の正解押し順に各ストップボタン９Ｌ，９Ｃ，９Ｒが押圧操作されなかった場合には、小役３、小役４および小役５が成立しない代わりに小役６、小役７又は小役８が成立することになる。
【００９４】
再遊技役は、役の成立によってメダルの払い出しを伴わないけれども、遊技者がメダルを投入することなく次回の単位遊技を行うことが可能となる遊技役である。すなわち、上述の自動ベット処理の実行契機となる遊技役である。図８に示すように、有効ラインＬ１上に上記「リプレイ」図柄の３つ揃いが停止表示された場合に、１種類の再遊技役（「リプレイ役０１」）が成立する。また、上述の疑似ライン上に「リプレイ」図柄の３つ揃いが停止表示された場合に、７種類の再遊技役（「リプレイ役０２」〜「リプレイ役０８」）が成立する。
【００９５】
本スロットマシン１では、ストップボタン９Ｌ，９Ｃ，９Ｒの操作から、対応するリール６Ｌ，６Ｃ，６Ｒの回転が停止するまでの制動時間を０〜１９０ｍｓ（ミリ秒）の範囲で変更して、有効ラインＬ１上に、当選した遊技役に応じた図柄の組み合わせが停止表示され得るような制御がなされている。具体的には、最短の制動時間（つまり０ｍｓ）で停止させた場合に表示窓５Ｌ，５Ｃ，５Ｒを通じて表示される図柄から、所定の引込数分（本実施形態では、最大で「４」コマ分）、リールの回転方向とは逆方向に位置する図柄までの複数の図柄のうち、任意の図柄を表示窓５Ｌ，５Ｃ，５Ｒの枠内に引き込んで停止表示させる引込制御が実行可能となっている。
【００９６】
なお、本実施形態では、上述したリールテープ７Ｌ，７Ｃ，７Ｒの両端をつないでリールテープ７Ｌ，７Ｃ，７Ｒをそれぞれ円筒状にした場合、いずれのリールテープ７Ｌ，７Ｃ，７Ｒでも複数の「リプレイ」図柄が４個（「４」コマ）おきに配される。よって、各リール６Ｌ，６Ｃ，６Ｒの外周面には、上記所定の引込数の最大値である「４」コマよりも大きな間隔（コマ数）を空けずに、「リプレイ」図柄が複数付されていることになる。従って、再遊技役に当選している単位遊技では、引込制御によって取りこぼすことなく再遊技役を成立させることが可能である。
【００９７】
複数の「ベル」図柄もまた、「リプレイ」図柄と同じように、いずれのリールテープ７Ｌ，７Ｃ，７Ｒでも「４」コマおきに配される。よって、第１ベル小役（小役３、小役４又は小役５）に当選している単位遊技では、引込制御によって取りこぼすことなくその第１ベル小役を成立させることが可能である。
【００９８】
但し、本実施形態では、上述したように、ストップボタン９Ｌ，９Ｃ，９Ｒが上記正解押し順に操作された場合に限り、引込制御によって第１ベル小役を成立させることが可能である。よって、第１ベル小役（および第２ベル小役）に当選している単位遊技で、各ストップボタン９Ｌ，９Ｃ，９Ｒの操作がその第１ベル小役の正解押し順の第１停止操作と一致した場合には、引込制御によってその第１ベル小役が成立することになる。
【００９９】
なお、本実施形態では、第１ベル小役（および第２ベル小役）に当選している単位遊技で、各ストップボタン９Ｌ，９Ｃ，９Ｒの操作がその第１ベル小役の正解押し順の第１停止操作と一致しなかった場合には、引込制御によって第２ベル小役が成立することになる。
【０１００】
「チェリー」図柄（「チェリー１」図柄および「チェリー２」図柄）は、図３に示すように、中リールテープ７Ｃには複数の「チェリー」図柄が「４」コマおきに配置されているが、左リールテープ７Ｌには１個、右リールテープ７Ｒには３個しかない。よって、チェリー小役（小役１，小役９）に当選した単位遊技で、遊技者がそのチェリー小役を成立できずに取りこぼしてしまうことがある。但し、中リール６Ｃの外周面には、上記所定の引込数の最大値（「４」コマ）よりも大きな間隔を空けずに、「チェリー」図柄が複数個付されていることになる。このため、中リール６Ｃの「チェリー」図柄を停止表示図柄に用いる第２ベル小役（小役６、小役７又は小役８）に当選している単位遊技では、引込制御によって取りこぼすことなくその第２ベル小役を成立させることが可能である。
【０１０１】
また、「スイカ」図柄（「スイカ１」図柄および「スイカ２」図柄）は、図３に示すように、左リールテープ７Ｌには３個、中リールテープ７Ｃには２個、右リールテープ７Ｒには３個それぞれ配置されている。すなわち、各リール６Ｌ，６Ｃ，６Ｒのどの外周面にも、上記所定の引込数の最大値（「４」コマ）よりも大きな間隔を空けずに、「スイカ」図柄が複数個付されていない。よって、スイカ小役（小役２）に当選した単位遊技で、遊技者がそのスイカ小役を成立できずに取りこぼしてしまうことがある。
【０１０２】
また、「赤セブン」図柄（「赤セブン１」図柄、「赤セブン２」図柄および「赤セブン３」図柄）は、図３に示すように、左リールテープ７Ｌに３個、中リールテープ７Ｃに１個、右リールテープ７Ｒに３個それぞれ配置されている。よって、ＢＢ役に当選した単位遊技で、遊技者がそのＢＢ役を成立できないことがある。但し、本実施形態でＢＢ役だけは、一旦当選するとＢＢ役の成立まで当選が持ち越される。
【０１０３】
また、抽選によって上述の遊技役のいずれにも当選しなかった場合には「ハズレ」となり、各ストップボタン９Ｌ，９Ｃ，９Ｒをどのタイミングで操作しても、引込制御によって、各遊技役（ＢＢ役，小役１〜小役９，再遊技役）に係る図柄の組み合わせ（加えて、チェリー小役又はスイカ小役の取りこぼしに伴う図柄の組み合わせやＢＢ役の入賞の非成立に伴う図柄の組み合わせ）以外の図柄の組み合わせが有効ラインＬ１上に停止表示される。なお、図３に示すように、各リールテープ７Ｌ，７Ｃ，７Ｒには、任意の「ブランク」図柄（「ブランク１」図柄、「ブランク２」図柄および「ブランク３」図柄）が複数設けられている。このため、抽選の結果がハズレの場合には、上述の「赤セブン」図柄、「チェリー」図柄、「スイカ」図柄、「ベル」図柄および「リプレイ」図柄に「ブランク」図柄を加えた複数種類の図柄を用いてできる、上記各停止表示図柄を除いた任意の図柄の組み合わせが有効ラインＬ１上に停止表示される。
【０１０４】
なお、本実施形態では、上述の３つのＢＢ役（ＢＢ役０１，ＢＢ役０２，ＢＢ役０３）の入賞成立時に有効ラインＬ１又は疑似ラインに「赤セブン」図柄が停止表示される以外に、有効ラインＬ１および疑似ラインに「赤セブン」図柄が停止表示されることはない。
【０１０５】
具体的に例えば、有効ラインＬ１上に、左から「赤セブン２」図柄、「赤セブン１」図柄および「赤セブン２」図柄の組み合わせ以外の組み合わせで「赤セブン」図柄が停止表示されない。また、例えば、疑似ラインのうち、左リール６Ｌの上段図柄、中リール６Ｃの上段図柄、および、右リール６Ｒの上段図柄がなす疑似ライン上に、左から「赤セブン１」図柄、「赤セブン１」図柄および「赤セブン１」図柄の組み合わせ以外の組み合わせで「赤セブン」図柄が停止表示されない。さらに、例えば、疑似ラインのうち、左リール６Ｌの下段図柄、中リール６Ｃの下段図柄、および、右リール６Ｒの下段図柄がなす疑似ライン上に、左から「赤セブン３」図柄、「赤セブン１」図柄および「赤セブン３」図柄の組み合わせ以外の組み合わせで「赤セブン」図柄が停止表示されない。
【０１０６】
そのため、本実施形態では、ＢＢ役に当選していて、有効ラインＬ１上に、図８に示すＢＢ役（ＢＢ役０１，ＢＢ役０２，ＢＢ役０３）の図柄の組み合わせが停止表示されなかった場合には、有効ラインＬ１および疑似ライン上に「赤セブン」図柄が並ぶことなく、ＢＢ役の入賞の非成立に伴う図柄の組み合わせが有効ラインＬ１上に停止表示されることになる。一方、ＢＢ役に非当選の場合には、有効ラインＬ１および疑似ライン上に「赤セブン」図柄が並ぶことも、ＢＢ役の入賞の非成立に伴う図柄の組み合わせが有効ラインＬ１上に停止表示されることもない。
【０１０７】
かくして、本スロットマシン１では、ＢＢ役に当選していない場合には、有効ラインＬ１および疑似ライン上に「赤セブン」図柄が並んでしまうのを防いで、遊技者に誤解が生じてしまうのを防止可能となっている。また、ＢＢ役に当選している場合には、有効ラインＬ１又は疑似ラインに、特定の「赤セブン」図柄の組み合わせで停止表示したときだけしか入賞が成立しないため、遊技者の技量の介在を必要としたゲーム性とすることが可能となっている。
【０１０８】
スタートレバー８の操作により行われる各種遊技役の抽選には、図９に示す遊技役判定テーブルが用いられる。この遊技役判定テーブルには、上述した各種遊技役の当選に該当する乱数値の数を遊技状態別にそれぞれ示している。なお、図９（Ａ）に示す遊技役判定テーブルは、複数ある設定値のうち、設定値が「６」のときに用いるものである。また、図９（Ｂ）に示す遊技役判定テーブルは、複数ある設定値のうち、設定値が「１」のときに用いるものである。
【０１０９】
設定値とは、遊技者に付与される利益の大きさを設定するための値である。つまり、遊技者にとっての有利さの度合いを定めた値である。本実施形態では、設定値が「６」の方が、設定値が「１」よりも遊技者にとって有利になっている。
【０１１０】
具体的に、設定値が「６」の場合の遊技役判定テーブル（図９（Ａ））において、非ＲＴ遊技状態で小役１（チェリー役）に割り当てられている乱数値の数が「３００」であるのに対し、設定値が「１」の場合の遊技役判定テーブル（図９（Ｂ））において、非ＲＴ遊技状態で小役１に割り当てられている乱数値の数が「２５０」である。つまり、設定値が「６」の場合の方が、設定値が「１」の場合よりも、非ＲＴ遊技状態で小役１に当選し易い。
【０１１１】
また、設定値が「６」の場合の遊技役判定テーブルにおいて、非ＲＴ遊技状態で小役９（チェリー役）およびＢＢ役に割り当てられている乱数値の数が「３００」であるのに対し、設定値が「１」の場合の遊技役判定テーブル（図９（Ｂ））において、非ＲＴ遊技状態で小役９およびＢＢ役に割り当てられている乱数値の数が「２５０」である。つまり、設定値が「６」の場合の方が、設定値が「１」の場合よりも、非ＲＴ遊技状態で小役９およびＢＢ役に当選し易い。
【０１１２】
本実施形態では、設定値が「１」＜「２」＜「３」＜「４」＜「５」＜「６」の順で、遊技者にとって有利になっている。なお、その他の設定値に用いる遊技役判定テーブルについては、記載を省略する。
【０１１３】
５．主制御基板の動作
以下、本スロットマシン１において行われる主要な制御処理について、図１０〜図３２を参照しながら説明する。以下では、まず図１０〜図２２を用いて、主制御基板６０において行われる制御処理のうち、特に主制御基板タイマ割り込み処理とメイン制御処理について説明する。
【０１１４】
［主制御基板タイマ割り込み処理］まず、図１０に示す主制御基板タイマ割り込み処理について説明する。主制御基板タイマ割り込み処理では、遊技制御用マイコン６１は、遊技者による遊技操作に応じて出力される信号の読み込みや信号レベルの検出や確認、各種コマンドの送信等の処理を、予め設定された一定の時間（例えば１．４９ｍｓ）毎に実行する。具体的には、図１０に示すように、レジスタを退避させる処理(S101)を行って、入力ポート読込処理(S102)を行う。入力ポート読込処理(S102)では、各種センサ類やスイッチ類や基板類から入力された信号の読み込みおよび格納や信号レベルの判定等が行われる。
【０１１５】
次いで、各種タイマを計測するタイマ処理(S103)を行う。このタイマ処理(S103)では、後述するメイン制御処理において任意のタイマがセットされた場合に、そのタイマの経過時間等を計測する。次に、リール用モータ５５Ｌ，５５Ｃ，５５Ｒを用いて各リール６Ｌ，６Ｃ，６Ｒの回転駆動を制御するリール回転駆動制御の処理(S104)を行う。具体的には、各リール用モータ５５Ｌ，５５Ｃ，５５Ｒの作動制御によって、各リール６Ｌ，６Ｃ，６Ｒの回転を始動させたり、回転を加速させたり、回転を一定の速度に維持させたり、回転を停止させたりする。
【０１１６】
次いで、上述した各種表示部（クレジット表示部２１、払出枚数表示部２２、再遊技表示ランプ２３、投入可能表示ランプ２４、ベット数表示ランプ２５、遊技開始表示ランプ２６、特殊役報知ランプ２７、設定表示部２８およびストップ報知ランプ３０Ｌ，３０Ｃ，３０Ｒ）の表示を管理する表示用ランプ表示処理(S105)を行い、各処理でＲＡＭ６４の出力バッファにセットしたコマンドをサブ制御基板７０に送信するコマンド送信処理(S106)を行う。次に、ホッパー等の駆動制御を行うためのポート出力処理(S107)を行い、退避させていたレジスタを復帰させるレジスタ復帰処理(S108)を行って本処理を終える。
【０１１７】
［メイン制御処理］図１１に示すメイン制御処理では、遊技制御用マイコン６１は、まず後述の電源投入時処理(S201)を行う。その後、遊技開始準備処理(S202)を行う。遊技開始準備処理(S202)では、スタックポインタをセットしたり、ＲＡＭ６４の領域の一部を初期化したりする。また、設定値に関するコマンド、および、遊技状態に関するコマンドをＲＡＭ６４にセットする処理を行う。ＲＡＭ６４の領域の一部における初期化とは、具体的に例えば、払出枚数表示部２２が点灯している場合にはそれを消灯したり、特殊役報知ランプ２７が点灯している場合にはそれを消灯したりすることである。また、後述の停止表示図柄判定処理（図２０）のステップS1203でセットした表示図柄フラグをゼロクリアしたり、ステップS1207でＯＮした払出フラグがＯＮであれば、それをＯＦＦしたりすることである。
【０１１８】
次いで、いずれも後述のベット・開始操作受付処理(S203)および当選役決定処理(S204)を順に行って、ウェイト処理(S205)を実行する。ウェイト処理(S205)では、前回の単位遊技の開始から所定の規定時間が経過したかどうかを判定する。なお、前回の単位遊技の開始とは、本実施形態では、リール６Ｌ，６Ｃ，６Ｒを回転させて、各リール６Ｌ，６Ｃ，６Ｒの外周面に付された図柄の変動表示を開始させることである。前回の単位遊技の開始から規定時間が経過している場合には、本処理を終了するが、前回の単位遊技の開始から規定時間がまだ経過していない場合には、その規定時間を経過するまで待機する。そして、前回の単位遊技の開始から規定時間が経過したら、本処理を終える。
【０１１９】
次いで、いずれも後述のリール回転開始処理(S206)、リール回転停止処理(S207)、停止表示図柄判定処理(S208)、メダル払出処理(S209)、ＲＴ状態処理(S210)およびＢＢ状態処理(S211)を順に行う。なお、メイン制御処理では、電源投入時処理(S201)を初回に行った後、ステップS202〜S211をループさせる。
【０１２０】
本実施形態では、１回の単位遊技（ゲーム）を、上記ステップS203の処理からステップS211の処理までの一連の処理とする。すなわち、ベット・開始操作受付処理(S203)を単位遊技の開始処理とし、その後、当選役決定処理(S204)、ウェイト処理(S205)、リール回転開始処理(S206)、リール回転停止処理(S207)、停止表示図柄判定処理(S208)、メダル払出処理(S209)およびＲＴ状態処理(S210)を順次行って、ＢＢ状態処理(S211)を終えて単位遊技の終了とする。
【０１２１】
なお、単位遊技（ゲーム）の開始処理を、例えばベット・開始操作受付処理(S203)のステップS410の処理、すなわち、スタートレバー８の操作がなされたかどうかを判定する処理としたり、上述の遊技開始準備処理(S202)としたりしてもよい。また、例えばメダル払出処理(S209)を終えて単位遊技の終了とする構成や、リール回転停止処理(S207)を終えて単位遊技の終了とする構成や、停止表示図柄判定処理(S208)を終えて単位遊技の終了とする構成としてもよい。また、上記メイン制御処理では、メダル払出処理(S209)の後にＲＴ状態処理(S210)を行う構成としたが、メダル払出処理(S209)の前に行う構成でもよい。また、メダル払出処理(S209)の後にＢＢ状態処理(S211)を行う構成としたが、メダル払出処理(S209)の前に行う構成でもよい。また、ＢＢ状態処理(S211)をＲＴ状態処理(S210)よりも前に行う構成でもよい。
【０１２２】
［電源投入時処理］図１２に示す電源投入時処理(S201)では、遊技制御用マイコン６１は、まずチェックサム値を用いてバックアップが正常であるか否かを判定する(S301)。具体的には、読み出された設定値等から算出したチェックサムと、バックアップされていたチェックサムとを比較して、比較結果が一致していればバックアップが正常であると判定する。
【０１２３】
ステップS301でバックアップが正常でないと判定した場合には(S301でNO)、遊技制御用マイコン６１は後述するステップS303にスキップするが、ステップS301でバックアップが正常であると判定した場合には(S301でYES)、バックアップされていた設定値をセットする(S302)。これにより、バックアップが正常であった場合には電源断前の設定値がセットされることになる。
【０１２４】
ステップS303で、遊技制御用マイコン６１は、スロットマシン１内にある設定キースイッチ１８（図４参照）がＯＮ、すなわち設定キースイッチ１８が設定変更モードになっているかどうかを判定する。具体的には、設定キー検出センサ１８ａから信号が出力されているかどうかを判定する。設定キースイッチ１８がＯＮであれば(S303でYES)、続いて設定値操作処理(S304)を行う。
【０１２５】
設定値操作処理(S304)では、遊技制御用マイコン６１は、設定表示部２８に現在の設定値を表示する処理を行う。具体的には、設定表示部２８にて現在の設定値の値（１〜６）を点灯表示する。この表示により、設定値を設定操作する者（設定者）が現在の設定値を確認可能となっている。なお、設定者によるリセット／設定ボタン１９の押圧操作によって、設定表示部２８に表示する値を変更して表示する。具体的には、リセット／設定ボタン１９が１回押圧操作される毎に、設定表示部２８に表示する値を１ずつ増加させて表示する。なお、表示する値が「６」のときにリセット／設定ボタン１９が１回操作された場合には、「１」を表示する。
【０１２６】
遊技制御用マイコン６１は、設定者によってスタートレバー８が操作された場合に(S305でYES)、設定表示部２８に表示している値を新たな設定値としてＲＡＭ６４に記憶させる(S306)。
【０１２７】
その後、設定キースイッチ１８がＯＦＦになった場合には(S307でYES)、遊技制御用マイコン６１は、ＲＡＭ６４に記憶されている遊技状態フラグ（後述）をゼロクリアする(S308)。これにより、遊技状態がデフォルトの状態、つまり非ＲＴ遊技状態になる。そして、ＲＡＭ６４に記憶されている設定値についての情報に関する設定値コマンドをＲＡＭ６４の出力バッファにセットして(S309)、本処理を終える。
【０１２８】
ステップS303において設定キースイッチ１８がＯＮでなければ(S303でNO)、すなわち設定キースイッチ１８が設定変更モードになっていなければ、続いて、遊技制御用マイコン６１は、バックアップが正常であるか否かを判定する(S310)。バックアップが正常であると判定したら(S310でYES)、ＲＡＭ６４に格納されているバックアップデータに基づいて、スロットマシン１の状態を電源断前の状態に復帰させる復帰処理を行う(S311)。その後、本処理を終了する。
【０１２９】
一方、バックアップが正常でないと判定した場合には(S310でNO)、電源投入時エラー処理を行う(S313)。電源投入時エラー処理(S313)では、バックアップが正常ではないことを、上記払出枚数表示部２２を用いて表示する。
【０１３０】
［ベット・開始操作受付処理］図１３に示すベット・開始操作受付処理(S203)では、遊技制御用マイコン６１は、現在の遊技状態に応じて遊技開始可能枚数を設定する(S401)。なお本実施形態では、上述したように遊技状態によらず遊技開始可能枚数を「３」に設定する。これにより、ベット数が「３」に設定された場合にのみ、スタートレバー８の操作が有効になる。次に、自動ベットフラグがＯＮであるか否かを判定する(S402)。自動ベットフラグは、上述の自動ベット処理を実行させるためのフラグである。この自動ベットフラグは、後述する停止表示図柄判定処理（図２０）のステップS1206の処理でＯＮされる。
【０１３１】
自動ベットフラグがＯＮの場合には(S402でYES)、上述した自動ベット処理(S403)を行う。具体的にはベット数に「３」が設定される。その後、ベット数に関するベットコマンドをＲＡＭ６４の出力バッファにセットし(S404)、自動ベットフラグをＯＦＦして(S405)、ステップS410に進む。
【０１３２】
一方、自動ベットフラグがＯＮでない場合(S402でNO)、つまり自動ベットフラグがＯＦＦの場合には、メダル投入口１０へのメダルの投入操作、又は、各ベットボタン（ＭＡＸベットボタン１１，１ベットボタン１２）の押下操作があったかどうかを判定する(S406)。メダル投入口１０へのメダルの投入操作、又は、各ベットボタンの押下操作があった場合には(S406でYES)、投入操作や押下操作に関するベットコマンドをＲＡＭ６４の出力バッファにセットして(S407)、ステップS408に進む。
【０１３３】
ステップS408では、現時点のベット数（賭数）が上記遊技開始可能枚数（「３」）に達しているか否かを判定する。遊技開始可能枚数に達していなければ(S408でNO)、上記ステップS406に戻る。すなわち、現時点のベット数が遊技開始可能枚数に達していない場合には、スタートレバー８の操作が有効にならない構成になっている。
【０１３４】
一方、現時点のベット数が遊技開始可能枚数に達していれば(S408でYES)、そのときのベット数を、ＲＡＭ６４の所定の記憶領域にセットする(S409)。これにより、記憶領域にセットした値（具体的には「３」）がベット数（賭数）に設定される。
【０１３５】
次いで、スタートレバー８の操作があったかどうかの判定を行う(S410)。スタートレバー８の操作があれば(S410でYES)、スタートレバー８が操作されたことを示すスタートコマンドを出力バッファにセットして(S411)本処理を終える。
【０１３６】
［当選役決定処理］図１４に示す当選役決定処理(S204)では、遊技制御用マイコン６１は、まず遊技役の当選を決定するための乱数値を抽出する(S501)。具体的には、図示しない乱数発生器とサンプリング回路によって「０」〜「６５５３５」の範囲から乱数値を抽出し、抽出した乱数値をＲＡＭ６４の乱数値記憶領域に記憶する。
【０１３７】
次に、遊技状態フラグの値に応じた遊技役判定テーブル（図９）を参照する(S502)。なお、上記ステップS304でＲＡＭ６４に記憶の設定値に対応した遊技役判定テーブルを参照する。そして、上記乱数値と遊技役判定テーブルに基づいて、いずれかの遊技役に当選したか否かを判定する(S503)。
【０１３８】
遊技役に当選した場合には(S503でYES)、当選した遊技役に応じた当選フラグをＯＮにして(S504)、ステップS506に進む。一方、遊技役に当選していない場合(S503でNO)、つまりハズレの場合には、ＢＢ役の当選フラグがＯＮか否かを判定する(S505)。本実施形態では、ＢＢ役の当選フラグがＯＮの単位遊技でＢＢ役の入賞が成立しなかった場合には、次の単位遊技でも当該当選フラグがＯＮのまま持ち越される。このため、上記ステップS503で遊技役に当選しなくても、ＢＢ役の当選フラグがＯＮの場合がある。
【０１３９】
ＢＢ役の当選フラグがＯＮであれば(S505でYES)、ステップS506に進む。なお、ＢＢ役の当選フラグがＯＮでなければ(S505でNO)そのまま本処理を終える。
【０１４０】
ステップS506では、遊技状態フラグの値が「１」又は「２」かどうかを判定する。遊技状態フラグは、現在の遊技状態を示すためのものである。図中の表に示すように、遊技状態フラグが「０」とは、現在の遊技状態が非ＲＴ遊技状態であることを示す。また、遊技状態フラグが「１」とは、現在の遊技状態がＢＢ遊技状態であることを示す。また、遊技状態フラグが「２」とは、現在の遊技状態がＲＴ遊技状態であることを示す。
【０１４１】
遊技状態フラグの値が「１」でも「２」でもない場合(S506でNO)、つまり遊技状態フラグの値が「０」の場合には、ステップS508に進むが、遊技状態フラグの値が「１」又は「２」の場合には(S506でYES)、後述のメイン報知処理(S507)を行って、ステップS508に進む。
【０１４２】
ステップS508では、上記ステップS504でＯＮに設定された当選フラグや、先回の単位遊技から持ち越されている場合のＢＢ役の当選フラグに基づいて、当選フラグがＯＮの遊技役に関するコマンド（役決定結果コマンド）をセットする。その後、本処理を終える。
【０１４３】
［メイン報知処理］図１５に示すメイン報知処理(S507)では、遊技制御用マイコン６１は、まず小役１又は小役２の当選フラグがＯＮかどうかを判定する(S601)。小役１の当選フラグも小役２の当選フラグもＯＮでなければ(S601でNO)、ステップS603に進むが、小役１又は小役２の当選フラグがＯＮであれば(S601でYES)、特殊役報知ランプ２７のうち、ＯＮの当選フラグに応じた遊技役のランプを点灯させて(S602)、本処理を終える。
【０１４４】
ステップS603では、小役３、小役７および小役８の当選フラグがＯＮかどうかを判定する。小役３、小役７および小役８の当選フラグがＯＮであれば(S603でYES)、３つのストップ報知ランプ３０Ｌ，３０Ｃ，３０Ｒのうちの左ストップ報知ランプ３０Ｌを点灯させる(S604)。これにより、全リール６Ｌ，６Ｃ，６Ｒの変動表示中に、３つのストップ報知ランプ３０Ｌ，３０Ｃ，３０Ｒのうちの左ストップ報知ランプ３０Ｌだけが点灯することになる。
【０１４５】
なお、小役３、小役７および小役８の当選フラグがＯＮでなければ(S603でNO)、次に、小役４、小役６および小役８の当選フラグがＯＮかどうかを判定する(S605)。小役４、小役６および小役８の当選フラグがＯＮであれば(S605でYES)、３つのストップ報知ランプ３０Ｌ，３０Ｃ，３０Ｒのうちの中ストップ報知ランプ３０Ｃを点灯させる(S606)。これにより、全リール６Ｌ，６Ｃ，６Ｒの変動表示中に、３つのストップ報知ランプ３０Ｌ，３０Ｃ，３０Ｒのうちの中ストップ報知ランプ３０Ｃだけが点灯することになる。
【０１４６】
小役４、小役６および小役８の当選フラグがＯＮでなければ(S605でNO)、次に、小役５、小役６および小役７の当選フラグがＯＮかどうかを判定する(S607)。小役５、小役６および小役７の当選フラグがＯＮでなければ(S607でNO)、本処理を終えるが、小役５、小役６および小役７の当選フラグがＯＮであれば(S607でYES)、３つのストップ報知ランプ３０Ｌ，３０Ｃ，３０Ｒのうちの右ストップ報知ランプ３０Ｒを点灯させる(S608)。これにより、全リール６Ｌ，６Ｃ，６Ｒの変動表示中に、３つのストップ報知ランプ３０Ｌ，３０Ｃ，３０Ｒのうちの右ストップ報知ランプ３０Ｒだけが点灯することになる。
【０１４７】
［リール回転開始処理］図１６に示すリール回転開始処理(S206)では、遊技制御用マイコン６１は、まず全リール６Ｌ，６Ｃ，６Ｒの回転を開始させる(S701)。これにより全リール６Ｌ，６Ｃ，６Ｒの図柄の変動表示が開始される。なお、本実施形態では、上述の所定の規定時間として「４．１秒」をセットした上で、全リール６Ｌ，６Ｃ，６Ｒの回転を開始させる。
【０１４８】
次に、右リール６Ｒが既に回転しているか否かを判定する(S702)。右リール６Ｒが既に回転している場合には(S702でYES)、右リール６Ｒの回転開始を示す右リール回転開始フラグがＯＮかどうかを判定する(S703)。ＯＮでない場合(S703でNO)、つまり、右リール回転開始フラグがＯＦＦの場合には、その右リール回転開始フラグをＯＮして(S704)、右リール６Ｒの回転開始を示す右リール回転開始コマンドをＲＡＭ６４の出力バッファにセットして(S705)、ステップS706に進む。
【０１４９】
なお、上記ステップS702において、右リール６Ｒが未だ回転していない場合には(S702でNO)、上記ステップS703〜S705の処理をスキップしてステップS706に進む。また、上記ステップS703において、右リール回転開始フラグがＯＮの場合には(S703でYES)、上記ステップS704，S705の処理をスキップしてステップS706に進む。
【０１５０】
ステップS706〜S709では中リール６Ｃに関して、また、ステップS710〜S713では左リール６Ｌに関して、上述のステップS702〜S705とほぼ同じような処理を行う。
【０１５１】
すなわち、ステップS706では中リール６Ｃが既に回転しているか否かを判定し、中リール６Ｃが既に回転している場合には(S706でYES)、中リール６Ｃの回転開始を示す中リール回転開始フラグがＯＮかどうかを判定する(S707)。ＯＮでない場合(S707でNO)、つまり、中リール回転開始フラグがＯＦＦの場合には、その中リール回転開始フラグをＯＮし(S708)、中リール６Ｃの回転開始を示す中リール回転開始コマンドをＲＡＭ６４の出力バッファにセットして(S709)、ステップS710に進む。
【０１５２】
なお、上記ステップS706において、中リール６Ｃが未だ回転していない場合には(S706でNO)、上記ステップS707〜S709の処理をスキップしてステップS710に進む。また、上記ステップS707において、中リール回転開始フラグがＯＮの場合には(S707でYES)、上記ステップS708，S709の処理をスキップしてステップS710に進む。
【０１５３】
また、ステップS710では左リール６Ｌが既に回転しているか否かを判定し、左リール６Ｌが既に回転している場合には(S710でYES)、左リール６Ｌの回転開始を示す左リール回転開始フラグがＯＮかどうかを判定する(S711)。ＯＮでない場合(S711でNO)、つまり、左リール回転開始フラグがＯＦＦの場合には、その左リール回転開始フラグをＯＮし(S712)、左リール６Ｌの回転開始を示す左リール回転開始コマンドをＲＡＭ６４の出力バッファにセットして(S713)、ステップS714に進む。
【０１５４】
なお、上記ステップS710において、左リール６Ｌが未だ回転していない場合には(S710でNO)、上記ステップS711〜S713の処理をスキップしてステップS714に進む。また、上記ステップS711において、左リール回転開始フラグがＯＮの場合には(S711でYES)、上記ステップS712，S713の処理をスキップしてステップS714に進む。
【０１５５】
ステップS714では、全リール６Ｌ，６Ｃ，６Ｒが既に回転しているかどうかを判定する。具体的には、各リール６Ｌ，６Ｃ，６Ｒの回転開始フラグがいずれもＯＮかどうかを判定する。全リール６Ｌ，６Ｃ，６Ｒが既に回転していれば(S714でYES)、全リール６Ｌ，６Ｃ，６Ｒについてのリール回転開始フラグをＯＦＦして(S715)、本処理を終える。一方、各リール６Ｌ，６Ｃ，６Ｒのいずれかが未だ回転していない場合(S714でNO)、すなわち、各回転開始フラグの少なくとも１つがＯＮでなければ、上記ステップS702に戻る。
【０１５６】
［リール回転停止処理］図１７に示すリール回転停止処理(S207)では、遊技制御用マイコン６１は、まず回転開始した各リール６Ｌ，６Ｃ，６Ｒについて、所定の回転速度に達するように加速する加速処理(S801)を行う。次いで、全リール６Ｌ，６Ｃ，６Ｒが所定の速度で定速回転しているか否かを判定し(S802)、定速回転していないと判定した場合には(S802でNO)、上記ステップS801に戻って、再び加速処理を行う。一方、全リール６Ｌ，６Ｃ，６Ｒが定速回転していると判定した場合には(S802でYES)、全リール６Ｌ，６Ｃ，６Ｒが停止受付待ちの状態（具体的には、ストップボタン９Ｌ，９Ｃ，９Ｒが操作された場合に、それに対応して回転停止することが可能な状態）にあるか否かを判定する(S803)。全リール６Ｌ，６Ｃ，６Ｒが停止受付待ちの状態になり次第(S803でYES)、ステップS804に進む。
【０１５７】
次に、ステップS804では、ストップボタン９Ｌ，９Ｃ，９Ｒが操作されたか否かを判定する。ストップボタンの押圧操作があった場合には(S804でYES)、後述の停止制御処理(S805)に進み、操作されたストップボタンに対応したリールが回転駆動中の場合には、そのリールの停止制御を行う。
【０１５８】
ステップS806では、ストップ報知ランプ３０Ｌ，３０Ｃ，３０Ｒが点灯しているかどうかを判定する。本実施形態では上述したように、第１ベル小役の正解押し順の第１停止操作に関し、ストップ報知ランプ３０Ｌ，３０Ｃ，３０Ｒを用いて、その第１停止操作で操作すべきストップボタンがどれなのかを報知する構成となっている。よって、第１停止操作が行われた後には、点灯しているストップ報知ランプ３０Ｌ，３０Ｃ，３０Ｒを消灯して正解押し順の第１停止操作に関する報知を終了させる。そこで、ストップ報知ランプ３０Ｌ，３０Ｃ，３０Ｒがいずれも消灯している場合には(S806でNO)、そのままステップS808に進むが、点灯している場合には(S806でYES)、点灯しているストップ報知ランプ３０Ｌ，３０Ｃ，３０Ｒを消灯して(S807)、ステップS808に進む。
【０１５９】
ステップS808では、全リール６Ｌ，６Ｃ，６Ｒの回転が停止しているかどうかを判定する。全リール６Ｌ，６Ｃ，６Ｒの回転が停止していない場合(S808でNO)、つまり、３つのリール６Ｌ，６Ｃ，６Ｒの１つでも回転中の場合には、上記ステップS804に戻る。一方、全リール６Ｌ，６Ｃ，６Ｒの回転が停止している場合には(S808でYES)、後述の停止制御処理（図１９）のステップS903,S910,S916でＯＮしたＳＢ操作フラグをいずれもＯＦＦして(S809)、本処理を終える。
【０１６０】
［停止制御処理］図１８に示す停止制御処理(S805)は、３つのストップボタン９Ｌ，９Ｃ，９Ｒのうち、押圧操作があったストップボタンについて行われる処理である。遊技制御用マイコン６１は、まず本処理の直前で押圧操作があったストップボタンが左ストップボタン９Ｌであるかどうかを判定する(S901)。左ストップボタン９Ｌであれば(S901でYES)、左ＳＢ操作フラグがＯＮかどうかを判定する(S902)。左ＳＢ操作フラグがＯＮとは、左リール６Ｌの変動停止のために左ストップボタン９Ｌの操作が既に行われたことを示す。左ＳＢ操作フラグがＯＮの場合には(S902でYES)、本処理を終えるが、ＯＮでない場合(S902でNO)、つまり、左ＳＢ操作フラグがＯＦＦの場合には、その左ＳＢ操作フラグをＯＮし(S903)、左ストップボタン９Ｌの操作が行われたことに関する左ＳＢ操作コマンドをＲＡＭ６４の出力バッファにセットして(S904)、ステップS905に進む。
【０１６１】
ステップS905では、左リール６Ｌの図柄組み合わせ回転停止制御を行う。具体的には、当選フラグがＯＮの遊技役、および、左ストップボタン９Ｌの操作タイミング（操作が受け付けられたタイミング）に基づいて左リール６Ｌを停止させる。そして、必要に応じて上述した引込制御を行いつつ、左リール６Ｌの駆動を制御して左リール６Ｌを停止させる。
【０１６２】
なお本実施形態では、同じ単位遊技で、ＢＢ役、および、ＢＢ役以外の遊技役（小役１〜小役９又は再遊技役）の両方の当選フラグがＯＮになる場合がある。そのような場合には、ＢＢ役以外の遊技役の入賞が優先して成立可能となっている。例えば、ＢＢ役および小役９の両方の当選フラグがＯＮの場合には、ＢＢ役の入賞ではなく小役９の入賞が成立可能となっている。つまり、小役９およびＢＢ役に重複当選した単位遊技では、ＢＢ役の入賞が成立しない。但し、後述するように、遊技役のうちのＢＢ役だけは、一旦当選すると入賞が成立するまで複数の単位遊技にわたって当選フラグがＯＮのまま継続することになるので、ＢＢ役の入賞の成立は次ゲーム以降に持ち越されることになる。本実施形態では、ＢＢ役の当選フラグだけがＯＮの場合にＢＢ役の成立が可能となっている。
【０１６３】
停止制御処理の左リール６Ｌの回転が停止次第(S906でYES)、左リール６Ｌが回転停止したことに関する左リール回転停止コマンドをセットして(S907)、本処理を終える。
【０１６４】
一方、上記ステップS901で、操作があったストップボタンが左ストップボタン９Ｌでない場合には(S901でNO)、ステップS908に進む。
【０１６５】
ステップS908〜S914の処理は、中リール６Ｃの中ストップボタン９Ｃに関する処理である。すなわち、遊技制御用マイコン６１は、まずステップS908で、本処理の直前で押圧操作があったストップボタンが中ストップボタン９Ｃであるかどうかを判定する。中ストップボタン９Ｃであれば(S908でYES)、中ＳＢ操作フラグがＯＮかどうかを判定する(S909)。中ＳＢ操作フラグがＯＮとは、中リール６Ｃの変動停止のために中ストップボタン９Ｃの操作が既に行われたことを示す。中ＳＢ操作フラグがＯＮの場合には(S909でYES)、本処理を終えるが、ＯＮでない場合(S909でNO)、つまり、中ＳＢ操作フラグがＯＦＦの場合には、その中ＳＢ操作フラグをＯＮし(S910)、中ストップボタン９Ｃの操作が行われたことに関する中ＳＢ操作コマンドをＲＡＭ６４の出力バッファにセットして(S911)、ステップS912に進む。
【０１６６】
ステップS912では、中リール６Ｃの図柄組み合わせ回転停止制御を行う。具体的には、当選フラグがＯＮの遊技役、および、中ストップボタン９Ｃの操作タイミングに基づいて中リール６Ｃを停止させる。そして、必要に応じて引込制御を行いつつ、中リール６Ｃの駆動を制御して中リール６Ｃを停止させる。
【０１６７】
停止制御処理の中リール６Ｃの回転が停止次第(S913でYES)、中リール６Ｃが回転停止したことに関する中リール回転停止コマンドをセットして(S914)、本処理を終える。
【０１６８】
一方、上記ステップS908で、操作があったストップボタンが中ストップボタン９Ｃでない場合には(S908でNO)、右ストップボタン９Ｒに関する処理を行うべくステップS915に進む。
【０１６９】
ステップS915〜S920の処理は、右リール６Ｒの右ストップボタン９Ｒに関する処理である。すなわち、まずステップS915では、右リール６Ｒを停止させるために右ストップボタン９Ｒの操作が既に行われたことを示す右ＳＢ操作フラグがＯＮかどうかを判定する。右ＳＢ操作フラグがＯＮの場合には(S915でYES)、本処理を終えるが、ＯＮでない場合(S915でNO)、つまり、右ＳＢ操作フラグがＯＦＦの場合には、その右ＳＢ操作フラグをＯＮし(S916)、右ストップボタン９Ｒの操作が行われたことに関する右ＳＢ操作コマンドをＲＡＭ６４の出力バッファにセットして(S917)、ステップS918に進む。
【０１７０】
ステップS918では、右リール６Ｒの図柄組み合わせ回転停止制御を行う。具体的には、当選フラグがＯＮの遊技役、および、右ストップボタン９Ｒの操作タイミングに基づいて右リール６Ｒを停止させる。そして、必要に応じて引込制御を行いつつ、右リール６Ｒの駆動を制御して右リール６Ｒを停止させる。
【０１７１】
右リール６Ｒの回転が停止次第(S919でYES)、右リール６Ｒが回転停止したことに関する右リール回転停止コマンドをセットして(S920)、本処理を終える。
【０１７２】
［停止表示図柄判定処理］図１９に示す停止表示図柄判定処理(S208)では、遊技制御用マイコン６１は、まず表示窓５Ｌ，５Ｃ，５Ｒの枠内に停止表示されている停止表示図柄を確認して、その情報をＲＡＭ６４に格納する(S1201)。次に、停止表示図柄に基づいて、有効ラインＬ１上に遊技役に応じた図柄の組み合わせがあるかどうかを判定する(S1202)。
【０１７３】
有効ラインＬ１上に遊技役に応じた図柄の組み合わせがある場合には(S1202でYES)、その図柄に応じた遊技役が成立していることになるので、成立している遊技役の種類を示すための表示図柄フラグをセットする(S1203)。遊技役に応じた表示図柄フラグの値は、図７に示す通りである。なお、表示図柄フラグは、上述したようにメイン制御処理（図１１）の遊技開始準備処理(S202)でゼロクリアされる。
【０１７４】
次いで、上記表示図柄フラグの値が「０１」か否かを判定する(S1204)。つまり、成立した遊技役がＢＢ役かどうかを判定する。表示図柄フラグの値が「０１」でなければ(S1204でNO)、続いて表示図柄フラグの値が「２０」か否かを判定する(S1205)。つまり、成立した遊技役が再遊技役かどうかを判定する。
【０１７５】
なお、再遊技役が成立している場合には、次回の単位遊技において自動ベット処理を行う。そこで、表示図柄フラグの値が「２０」であれば(S1205でYES)、上記自動ベットフラグをＯＮして(S1206)、ステップS1209に進む。一方、表示図柄フラグの値が「２０」でない場合には(S1205でNO)、成立している遊技役は、払い出しを伴う遊技役（小役１〜小役９のいずれか）に該当することになるため、払出フラグをＯＮして(S1207)、ステップS1209に進む。
【０１７６】
なお、有効ラインＬ１上に、遊技役に応じた図柄の組み合わせがない場合には(S1202でNO)、当該単位遊技では表示図柄フラグをセットせずにステップS1208に進む。そして、いずれかの遊技役の当選フラグがＯＮかどうかを判定する。つまり、当選フラグの持ち越しがあるかどうかを判定する。
【０１７７】
いずれの遊技役の当選フラグもＯＮでない場合(S1208でNO)、すなわち、全ての遊技役の当選フラグがＯＦＦの場合には、当選フラグをＯＦＦする必要がないため、そのまま後述のステップS1214に進む。一方、いずれかの遊技役の当選フラグがＯＮの場合には(S1208でYES)、ステップS1209に進む。
【０１７８】
ステップS1209では、ＢＢ役の当選フラグがＯＮかどうかを判定する。本実施形態では上述したように、遊技役のうちのＢＢ役だけは、一旦当選すると入賞が成立するまで当選が持ち越される。言い換えると、ＢＢ役以外の遊技役に関し、当選した単位遊技で、対応した停止表示図柄が有効ラインＬ１上に停止表示されなかった場合には、その遊技役の当選は持ち越されない。そこで、ＢＢ役の当選フラグがＯＮでなければ(S1209でNO)、ＯＮになっている当選フラグをＯＦＦして(S1210)、ステップS1214に進む。これにより、全ての遊技役に対応した当選フラグがＯＦＦになる。一方、ＢＢ役の当選フラグがＯＮであれば(S1209でYES)、ＢＢ役以外の遊技役の当選フラグをＯＦＦして(S1211)、ステップS1214に進む。これにより、ＢＢ役の当選フラグのみがＯＮとなり、ＢＢ役の当選のみが次回の単位遊技に持ち越される。
【０１７９】
上記ステップS1204で表示図柄フラグの値が「０１」の場合(S1204でYES)、つまり、成立した遊技役がＢＢ役の場合には、ＢＢ役の成立を示すＢＢフラグをＯＦＦからＯＮにして(S1212)、ＢＢ役を含む全ての遊技役に対応した当選フラグをＯＦＦにして(S1213)、ステップS1214に進む。
【０１８０】
ステップS1214では、停止表示図柄に関する停止表示図柄コマンドをＲＡＭ６４の出力バッファにセットする。その後、本処理を終える。
【０１８１】
［メダル払出処理］図２０に示すメダル払出処理(S209)では、遊技制御用マイコン６１は、まず上記払出フラグがＯＮか否かを判定する(S1301)。払出フラグがＯＮでなければ(S1301でNO)本処理を終えるが、ＯＮであれば(S1301でYES)、表示図柄フラグの値に基づいて、払い出すメダルの枚数に関する払出枚数コマンドをＲＡＭ６４の出力バッファにセットする(S1302)。次いで、上記クレジット機能が有効になっているかどうかを判定する(S1303)。
【０１８２】
クレジット機能が有効になっていない場合(S1303でNO)、つまり、クレジット機能が無効になっている場合には、ステップS1307に進むが、有効になっている場合には(S1303でYES)、上記仮想メダルの枚数とメダルの払出枚数との和が、クレジット可能な上限値（本実施形態では「５０」）を超えているかどうかを判定する(S1304)。上限値を超えていない場合(S1304でNO)、すなわち、仮想メダルの枚数とメダルの払出枚数との和が上限値以下の場合には、メダルの払出枚数をクレジット表示部２１に示す仮想メダルの枚数に加算表示して(S1305)、ステップS1309に進む。
【０１８３】
一方、仮想メダルの枚数とメダルの払出枚数との和が上限値（「５０」）を超えている場合には(S1304でYES)、クレジット表示部２１に示す仮想メダルの枚数をその上限値まで加算表示して(S1306)、ステップS1307に進む。
【０１８４】
ステップS1307では、メダル払出口３８からメダルを払い出す。クレジット機能が無効である場合には、メダルの払出枚数と同数のメダルを払い出す。一方、クレジット機能が有効の場合には、仮想メダルの枚数とメダルの払出枚数との和のうち「５０」を超える分のメダルを払い出す。払い出しが終了次第(S1308でYES)、メダルの払い出しが終了したことを示す払出終了コマンドをセットして(S1309)、本処理を終了する。
【０１８５】
［ＲＴ状態処理］図２１に示すＲＴ状態処理(S210)では、遊技制御用マイコン６１は、まず遊技状態フラグの値が「２」であるかどうかを判定する(S1401)。遊技状態フラグの値が「２」でない場合 (S1401でNO)、つまり、遊技状態フラグの値が「０」又は「１」である場合には、本処理を終える。一方、遊技状態フラグの値が「２」の場合(S1401でYES)、すなわち遊技状態がＲＴ遊技状態の場合には、上記ＲＴ回数カウンタの値を「１」減じる(S1402)。そして、減算したＲＴ回数カウンタの値が「０」か否かを判定する(S1403)。
【０１８６】
ＲＴ回数カウンタの値が「０」でない場合には(S1403でNO)本処理を終えるが、ＲＴ回数カウンタの値が「０」の場合には(S1403でYES)、遊技状態フラグの値を「０」に変更して(S1404)、遊技状態をＲＴ遊技状態から非ＲＴ遊技状態に移行させる。これにより、次回の単位遊技は非ＲＴ遊技状態での遊技となる。さらに、遊技制御用マイコン６１は、有利区間ランプをＯＮ（点灯）からＯＦＦ（消灯）にする(S1405)。次いで、ＲＴ遊技状態の終了に関するＲＴ終了コマンドをセットして(S1406)、本処理を終える。
【０１８７】
［ＢＢ状態処理］図２２に示すＢＢ状態処理(S211)では、遊技制御用マイコン６１は、まず遊技状態フラグの値が「１」であるかどうかを判定する(S1601)。上述したように遊技状態フラグが「１」とは、遊技状態がＢＢ遊技状態であることを示している。遊技状態フラグの値が「１」でない場合(S1601でNO)、つまり、遊技状態フラグの値が「０」又は「２」の場合には、続いてＢＢフラグがＯＮかどうかを判定する(S1602)。すなわち、当該単位遊技にてＢＢ役が成立したかどうかを判定する。
【０１８８】
ＢＢフラグがＯＮではない場合には(S1602でNO)、そのまま本処理を終えるが、ＢＢフラグがＯＮの場合(S1602でYES)、すなわち、当該単位遊技にてＢＢ役の入賞が成立した場合には、遊技状態フラグの値を「１」に更新して、遊技状態をＢＢ遊技状態に移行させる(S1603)。これにより、次回の単位遊技はＢＢ遊技状態での遊技となる。なお、遊技制御用マイコン６１は、ＲＴ遊技状態からＢＢ遊技状態に遊技状態を移行する場合には、さらに有利区間ランプをＯＮ（点灯）からＯＦＦ（消灯）にする。
【０１８９】
次いで、ＢＢ払出カウンタ値Ｎ（ＢＢ払出カウンタの値）に「０」をセットし(S1604)、ＢＢ遊技状態の開始に関するＢＢ開始コマンドをセットする(S1605)。ＢＢ払出カウンタは、ＢＢ遊技状態中における遊技役の成立（本実施形態では、小役１〜小役８の成立）に伴って払い出される払出枚数を積算してカウントするためのものである。また、ＢＢ払出カウンタ値Ｎは、そのＢＢ払出カウンタが積算した払出枚数を示す値である。上記ステップS1605の後、ＢＢフラグをＯＦＦして(S1606)、本処理を終える。
【０１９０】
上記ステップS1601で遊技状態フラグの値が「１」の場合(S1601でYES)、つまり、遊技状態が既にＢＢ遊技状態である場合には、上記払出フラグがＯＮかどうかを判定する(S1607)。払出フラグがＯＮでない場合には(S1607でNO)、本処理を終了する。一方、払出フラグがＯＮの場合には(S1607でYES)、ＢＢ遊技状態中に、上記メダル払出処理（図２４）にて遊技役の成立に伴うメダルの払い出しがあったことになるので、払い出した払出枚数を上記ＢＢ払出カウンタ値Ｎに加算する(S1608)。その後、そのＢＢ払出カウンタ値Ｎが所定の閾値（「３００」）以上かどうかを判定する(S1609)。本実施形態では上述したように、ＢＢ遊技状態中に払い出されたメダルの総数が上記閾値以上の場合が、ＢＢ遊技状態が終了してＢＢ遊技状態からＲＴ遊技状態に移行される条件Ｂの成立に該当する。よって、ステップS1609では、条件Ｂが成立したかどうかを判定する。
【０１９１】
ＢＢ払出カウンタ値Ｎが上記閾値（「３００」）未満の場合には(S1609でNO)、そのまま本処理を終える。一方、ＢＢ払出カウンタ値Ｎが閾値以上の場合には(S1609でYES)、ＢＢ遊技状態の終了に関するＢＢ終了コマンドをＲＡＭ６４にセットする(S1610)。次いで、遊技状態フラグの値を「１」から「２」に変更して、遊技状態をＢＢ遊技状態からＲＴ遊技状態に移行させる(S1611)。これにより、次回の単位遊技の遊技状態がＲＴ遊技状態に制御される。さらに、遊技制御用マイコン６１は、有利区間ランプをＯＦＦ（消灯）からＯＮ（点灯）にする(S1612)。
【０１９２】
次に、ＲＴ遊技状態の開始に関するＲＴ開始コマンドをセットして(S1613)、ＲＴ回数カウンタの値に「３０」をセットする(S1614)。これにより、次回の単位遊技を含む少なくとも３０回の連続する単位遊技にわたって、遊技状態がＲＴ遊技状態に制御されることになる。
【０１９３】
６．サブ制御基板の動作
次に、図２３〜図３２を用いて、サブ制御基板７０において行われる制御処理のうち、特にサブ制御処理について説明する。
【０１９４】
［サブ制御処理］図２３に示すサブ制御処理では、演出制御用マイコン７１は、まず電源投入時処理(S2001)を行う。具体的には、ＣＰＵ７２がＲＡＭ７４等のエラーチェックや初期化（例えば、遊技情報の初期化）を行う。続いて、主制御基板６０から各種コマンドを受信するコマンド受信処理(S2002)を行う。このコマンド受信処理(S2002)では、例えばＢＢ開始コマンドやＢＢ終了コマンドやＲＴ終了コマンドに基づいて遊技状態についての情報（遊技情報）を変更する。
【０１９５】
次いで、後述するコマンド解析処理(S2003)を行う。その後、画像制御基板８０にコマンドを送信するコマンド送信処理(S2004)を行う。次に、演出用ランプ４０等を用いたランプ演出を実行するランプ演出実行処理(S2005)を行う。
【０１９６】
次いで、スピーカ４１を用いた音声演出を実行する音声演出実行処理(S2006)を行う。なお、サブ制御処理では、電源投入時処理(S2001)を初回に行った後、ステップS2002〜S2006をループさせる。
【０１９７】
［コマンド解析処理］図２４に示すコマンド解析処理(S2003)では、演出制御用マイコン７１は、まずスタートコマンドを受信したか否かを判定する(S2101)。スタートコマンドを受信していれば(S2101でYES)、スタートコマンド受信処理(S2102)を行って、本処理を終了する。スタートコマンド受信処理(S2102)では、例えば、スタートレバー８の操作に合わせて所定の演出の実行を開始させる操作時演出を実行したり、ウェイト処理中の場合には所定の音声（例えばチャイム音）を伴うウェイト中演出を実行したりする。
【０１９８】
一方、スタートコマンドを受信していなければ(S2101でNO)、演出制御用マイコン７１は役決定結果コマンドを受信したか否かを判定する(S2103)。役決定結果コマンドを受信していれば(S2103でYES)、後述の役決定結果コマンド受信処理(S2104)を行って、本処理を終了する。
【０１９９】
一方、役決定結果コマンドを受信していなければ(S2103でNO)、演出制御用マイコン７１は回転開始コマンドを受信したか否かを判定する(S2105)。回転開始コマンドを受信していれば(S2105でYES)、後述の回転開始コマンド受信処理(S2106)を行って、本処理を終了する。
【０２００】
一方、回転開始コマンドを受信していなければ(S2105でNO)、演出制御用マイコン７１はＳＢ操作コマンドを受信したか否かを判定する(S2107)。ＳＢ操作コマンドを受信していれば(S2107でYES)、後述のＳＢ操作コマンド受信処理(S2108)を行って、本処理を終了する。
【０２０１】
一方、ＳＢ操作コマンドを受信していなければ(S2107でNO)、演出制御用マイコン７１は停止表示図柄コマンドを受信したか否かを判定する(S2109)。停止表示図柄コマンドを受信していれば(S2109でYES)、後述の停止表示図柄コマンド受信処理(S2110)を行って、本処理を終了する。
【０２０２】
一方、停止表示図柄コマンドを受信していなければ(S2109でNO)、ステップS2111に進み、上記以外のコマンドの受信に伴って実行する処理（その他のコマンド受信処理）を行って、本処理を終える。
【０２０３】
［役決定結果コマンド受信処理］図２５に示す役決定結果コマンド受信処理(S2104)では、演出制御用マイコン７１は、まず役決定結果コマンドを解析する(S2301)。そして、その解析によって得られた情報（当選した遊技役に関する情報）をＲＡＭ７４の所定の記憶領域に記憶する。これにより、演出制御用マイコン７１が行う各処理でその情報を用いることが可能である。次に、遊技状態が非ＲＴ遊技状態であるかどうかを判定する(S2302)。具体的には、上記ステップS2002で作成した遊技情報に基づいて判定する。
【０２０４】
遊技状態が非ＲＴ遊技状態である場合(S2302でYES)には、後述するステップS2308に進むが、遊技状態が非ＲＴ遊技状態でない場合(S2302でNO)、すなわち、ＲＴ遊技状態又はＢＢ遊技状態の場合には、受信した役決定結果コマンドが小役３、小役４又は小役５の当選に関するものであるか否かを判定する(S2303)。受信した役決定結果コマンドが小役３、小役４又は小役５の当選に関するものであれば(S2303でYES)、ステップS2304に進み、正解押し順に応じた入賞操作を特定する。
【０２０５】
具体的に例えば、役決定結果コマンドが小役３の当選に関するものであれば、その小役３の正解押し順の第１停止操作である左ストップボタン９Ｌの押圧操作を入賞操作として特定する。また、役決定結果コマンドが小役４の当選に関するものであれば、その小役４の正解押し順の第１停止操作である中ストップボタン９Ｃの押圧操作を入賞操作として特定する。また、役決定結果コマンドが小役５の当選に関するものであれば、その小役５の正解押し順の第１停止操作である右ストップボタン９Ｒの押圧操作を入賞操作として特定する。特定した入賞操作は、ＲＡＭ７４の所定の記憶領域に記憶する。
【０２０６】
その後、演出制御用マイコン７１は、特定した入賞操作に応じた入賞操作報知演出（画像演出）を選定する(S2305)。具体的には、選定した入賞操作報知演出に関するコマンドをＲＡＭ７４の所定の領域にセットして、上述のステップS2004のコマンド送信処理でそのコマンドを画像制御基板８０に送信する。これにより、画像制御基板８０に入賞操作報知演出を実行させる。
【０２０７】
入賞操作報知演出とは、当選した小役３、小役４又は小役５の正解押し順に基づき、第１停止操作として操作すべきストップボタンについての報知とを行う画像演出である。具体的には、図３０（Ａ）に示すような、画像表示装置４２の表示画面４２ａの下部左、下部中央又は下部右に数字「１」を表示する画像Ｐ１を用いた画像演出である。
【０２０８】
例えば、小役３、小役７および小役８に重複当選している場合の入賞操作報知演出では、表示画面４２ａの下部左に数字「１」を配置した画像Ｐ１を用いる。また、小役４、小役６および小役８に重複当選している場合の入賞操作報知演出では、表示画面４２ａの下部中央に数字「１」を配置した画像Ｐ１を用いる。なお、図３０（Ａ）に示す画像Ｐ１は、この場合の入賞操作報知演出に用いるためのものである。また、小役５、小役６および小役７に重複当選している場合の入賞操作報知演出では、表示画面４２ａの下部右に数字「１」を配置した画像Ｐ１を用いる。
【０２０９】
本実施形態では、ＢＢ遊技状態又はＲＴ遊技状態のときに小役３、小役４又は小役５に当選した場合には、上述したストップ報知ランプ３０Ｌ，３０Ｃ，３０Ｒの発光に加えて、上記入賞操作報知演出を実行する。よって、全リールの回転中に上記画像Ｐ１を用いた入賞操作報知演出を実行することで、ストップ報知ランプの発光だけの場合よりも確実に、小役３、小役４又は小役５の当選を遊技者に把握させるとともに、正解押し順の通りに各リールを停止させることを遊技者に促すことが可能となっている。
【０２１０】
図２５に戻り、演出制御用マイコン７１は、上記ステップS2303でNOの判定、すなわち、受信した役決定結果コマンドが小役３、小役４および小役５以外の遊技役（つまり、ＢＢ役、小役１、小役２、小役９又は再遊技役）の当選に関するものであれば、受信した役決定結果コマンドがチェリー小役（小役１，小役９）又はスイカ小役（小役２）の当選に関するものかどうかを判定する(S2306)。
【０２１１】
受信した役決定結果コマンドが、チェリー小役の当選に関するものでもスイカ小役の当選に関するものでもない場合(S2306でNO)、つまり、ＢＢ役又は再遊技役の当選に関するものである場合にはステップS2308に進む。しかし、チェリー小役の当選又はスイカ小役の当選に関するものであれば(S2306でYES)、当選している遊技役（チェリー小役又はスイカ小役）に応じた遊技役報知演出（画像演出）を選定する(S2307)。具体的には、選定した遊技役報知演出に関するコマンドをＲＡＭ７４の所定の記憶領域にセットして、上述のステップS2004のコマンド送信処理でそのコマンドを画像制御基板８０に送信する。これにより、画像制御基板８０に遊技役報知演出を実行させる。
【０２１２】
遊技役報知演出とは、チェリー小役（小役１，小役９）又はスイカ小役（小役２）の当選を報知するための画像演出である。具体的に例えば、画像表示装置４２の表示画面４２ａ上に、当選した遊技役（チェリー小役又はスイカ小役）の図柄（リール６Ｌ，６Ｃ，６Ｒの外周面に付された図柄）を含む画像を表示する画像演出である。この遊技役報知演出を実行することで、特殊役報知ランプ２７の点灯のみでチェリー小役又はスイカ小役の当選に関する報知を行う場合に比して、チェリー小役又はスイカ小役の当選を遊技者に容易に認識させることが可能となっている。
【０２１３】
続いて演出制御用マイコン７１は、受信した役決定結果コマンドがＢＢ役の当選に関するものであるか否かを判定する(S2308)。受信した役決定結果コマンドがＢＢ役以外の遊技役（つまり、小役１〜小役９又は再遊技役）の当選に関するものである場合には(S2308でNO)後述するステップS2310に進むが、ＢＢ役の当選に関するものであれば(S2308でYES)、後述の当選示唆演出実行処理(S2309)を実行して、ステップS2310に進む。
【０２１４】
ステップS2310では演出制御用マイコン７１は、役決定結果コマンドの受信に伴って実行する、上記以外の処理（その他の処理）を行って、本処理を終える。
【０２１５】
［当選示唆演出実行処理］図２６に示す当選示唆演出実行処理(S2309)では、演出制御用マイコン７１は、まずＢＢ役当選カウンタ値Ｍに「１」を加算する(S2351)。ＢＢ役当選カウンタ値Ｍとは、ＢＢ役に当選した場合に、その当選を伴う単位遊技の回数（連続回数）を示す値である。具体的に例えば、ＢＢ役当選カウンタ値Ｍは、ＢＢ役に当選した単位遊技でＢＢ役の当選についての役決定結果コマンドを受信した場合には「０」から「１」になる。また例えば、その当選した単位遊技でＢＢ役に入賞せずに、その次の単位遊技（つまりＢＢ役の当選が持ち越された単位遊技）でＢＢ役の当選についての役決定結果コマンドを受信した場合には、ＢＢ役当選カウンタ値Ｍが「１」から「２」になる。さらに例えば、その単位遊技でもＢＢ役に入賞せずに、その次の単位遊技でＢＢ役の当選についての役決定結果コマンドを受信した場合には、ＢＢ役当選カウンタ値Ｍが「２」から「３」になる。つまり、ＢＢ役の入賞が成立せずにＢＢ役の当選が持ち越される毎に、ＢＢ役当選カウンタ値Ｍが１ずつ増加する。
【０２１６】
演出制御用マイコン７１は、上記ステップS2351に続いて、ＢＢ役当選カウンタ値Ｍが「１」であるか否かを判定する(S2352)。つまり当該単位遊技がＢＢ役に当選した単位遊技であるか否かを判定する。ＢＢ役当選カウンタ値Ｍが「１」である場合、つまり当該単位遊技がＢＢ役に当選した単位遊技である場合には(S2352でYES)、本処理を終了する。これにより、ＢＢ役に当選した当該単位遊技において、ＢＢ役に当選していることを示唆する後述の当選示唆演出（第１示唆演出，第２示唆演出）は行われない。
【０２１７】
一方、ＢＢ役当選カウンタ値Ｍが「１」でない場合、つまり当該単位遊技がＢＢ役に当選した単位遊技ではない場合には(S2352でNO)、続いてＢＢ役当選カウンタ値Ｍが「２」であるか否かを判定する(S2353)。つまり、当該単位遊技がＢＢ役の当選を持ち越した初回の単位遊技であるか否かを判定する。
【０２１８】
本実施形態では、ＢＢ役の当選を持ち越した初回の単位遊技から後述の当選示唆演出が行われる構成になっている。さらに、ＢＢ役の当選を持ち越した初回の単位遊技にて再遊技役に当選した場合には、当選示唆演出の第１示唆演出が行われる。具体的に、ＢＢ役当選カウンタ値Ｍが「２」、且つ、演出制御用マイコン７１がＢＢ役の当選および再遊技役の当選に関する役決定結果コマンドを受信した場合に、第１示唆演出が行われる。第１示唆演出については後述する。
【０２１９】
一方、ＢＢ役の当選を持ち越した初回の単位遊技にて再遊技役に当選しなかった場合には、当選示唆演出の第２示唆演出が行われる。具体的には、ＢＢ役当選カウンタ値Ｍが「２」、且つ、演出制御用マイコン７１がＢＢ役の当選に関する役決定結果コマンドを受信したけれども再遊技役の当選に関する役決定結果コマンドは受信していない場合に、第２示唆演出が行われる。第２示唆演出については後述する。
【０２２０】
ＢＢ役当選カウンタ値Ｍが「２」である場合、つまり当該単位遊技がＢＢ役の当選を持ち越した初回の単位遊技である場合には(S2353でYES)、演出制御用マイコン７１は、役決定結果コマンドが再遊技役の当選に関するものであるかどうかを判定する(S2354)。
【０２２１】
役決定結果コマンドが再遊技役の当選に関するものであれば(S2354でYES)、演出制御用マイコン７１は、示唆演出実行フラグを「０」から「１」に更新する(S2355)。示唆演出実行フラグとは、当選示唆演出の実行を示すためのフラグである。示唆演出実行フラグが「０」とは当選示唆演出の非実行を示す。示唆演出実行フラグが「１」とは第１示唆演出の実行を示す。具体的には、第１示唆演出の実行前および実行開始を示す。示唆演出実行フラグが「２」とは第２示唆演出の実行を示す。具体的には、第２示唆演出の実行開始および実行中を示す。
【０２２２】
上記ステップS2355の処理で示唆演出実行フラグが「１」に更新されたことにより、当該の単位遊技において、後述の回転開始コマンド受信処理(S2106)のステップS2505の処理が実行されることになる。
【０２２３】
一方、上記ステップS2354で役決定結果コマンドが再遊技役の当選に関するものでなければ(S2354でNO)、演出制御用マイコン７１は、示唆演出実行フラグを「０」から「２」に更新する(S2356)。そして、第２示唆演出の実行を開始させる(S2357)。具体的には、第２示唆演出に関するコマンドをＲＡＭ７４の所定の領域にセットして、上述のステップS2004の処理でそのコマンドを画像制御基板８０に送信する。
【０２２４】
第２示唆演出は、図３１に示す、画像表示装置４２の表示画面４２ａの中央に文字列「ＢＢ確定おめでとう」を配置した画像Ｐ４を用いた画像演出である。このような第２示唆演出が行われることによって、ＢＢ役に当選していることを遊技者が速やかに把握可能となっている。よって遊技者は、第２示唆演出の実行後、当該単位遊技でＢＢ役の入賞が成立するようストップボタン９Ｌ，９Ｃ，９Ｒを押圧操作可能となっている。
【０２２５】
但し、本実施形態では、ＢＢ役の当選に加えて、ＢＢ役および再遊技役以外の遊技役に当該単位遊技で当選した場合には、ＢＢ役の入賞よりもその遊技役の入賞の方が優先して成立することになっている。そのため、第２示唆演出の実行によって遊技者がＢＢ役の入賞を狙った場合に、ＢＢ役および再遊技役以外の遊技役に当選していなければ、ＢＢ役の入賞が成立可能である。しかし、ＢＢ役および再遊技役以外の遊技役に当選していれば、ＢＢ役の入賞が成立しない。
【０２２６】
上記ステップS2353の処理でＢＢ役当選カウンタ値Ｍが「２」でない場合、つまり当該単位遊技がＢＢ役の当選を持ち越した２回目以降の単位遊技である場合には(S2353でNO)、演出制御用マイコン７１は示唆演出実行フラグが「２」であるか否かを判定する(S2358)。つまり、第２示唆演出が実行中か否かを判定する。示唆演出実行フラグが「２」である場合（第２示唆演出が実行中の場合）には(S2358でYES)、そのまま本処理を終える。これにより、実行中の第２示唆演出が引き続き行われることになる。
【０２２７】
一方、示唆演出実行フラグが「２」でない場合、つまり「０」の場合には(S2358でNO)、上述したステップS2354の処理に進む。すなわち、当該単位遊技がＢＢ役の当選を持ち越した２回目以降の単位遊技である場合に、役決定結果コマンドが再遊技役の当選に関するものであるかどうかを判定する。
【０２２８】
役決定結果コマンドが再遊技役の当選に関するものであれば(S2354でYES)、演出制御用マイコン７１は、示唆演出実行フラグを「０」から「１」に更新する(S2355)。これにより、ＢＢ役の当選を持ち越した２回目以降の単位遊技において、当該単位遊技のリール６Ｌ，６Ｃ，６Ｒの回転が開始される時間（第１時間Ｔ１）よりも後（第３時間Ｔ３）に開始音演出が実行される。
【０２２９】
本実施形態では、ＢＢ役の当選を持ち越した２回目以降の単位遊技において、示唆演出実行フラグが「０」であるとは、前回の単位遊技にて第３時間Ｔ３での開始音演出が行われたことになる。そのため、ＢＢ役の当選を持ち越した２回目以降の単位遊技において、上述したステップS2355の処理を行った場合には、第３時間Ｔ３での開始音演出が連続して行われることになる。
【０２３０】
なお、ステップS2354で役決定結果コマンドが再遊技役の当選に関するものでなければ(S2354でNO)、演出制御用マイコン７１は、ＢＢ役の当選を持ち越した２回目以降の単位遊技の場合に、示唆演出実行フラグを「０」から「２」に更新する(S2356)。そして、第２示唆演出の実行を開始させる(S2357)。これにより、前回の単位遊技にて第３時間Ｔ３での開始音演出が行われたのに対し、当該単位遊技では、第２示唆演出が行われることになる。
【０２３１】
［回転開始コマンド受信処理］図２７に示す回転開始コマンド受信処理(S2106)では、演出制御用マイコン７１は、まず受信した回転開始コマンドを解析する(S2501)。そして、その解析によって得られた情報（回転開始したリールに関する情報）をＲＡＭ７４の所定の記憶領域に記憶する。
【０２３２】
次に、演出制御用マイコン７１は、当該単位遊技において全てのリール６Ｌ，６Ｃ，６Ｒの回転が開始したか否かを判定する(S2502)。リール６Ｌ，６Ｃ，６Ｒの一部の回転が開始していない場合には(S2502でNO)本処理を終えるが、全てのリール６Ｌ，６Ｃ，６Ｒの回転が開始した場合には(S2502でYES)、続いて示唆演出実行フラグが「１」か否かを判定する(S2503)。
【０２３３】
示唆演出実行フラグが「１」でない場合、つまり示唆演出実行フラグが「０」又は「２」の場合には(S2503でNO)、第１時間Ｔ１に開始音演出の実行を開始する(S2504)。開始音演出とは、リール６Ｌ，６Ｃ，６Ｒの回転開始を知らせるための演出である。本実施形態では、所定の機械音（例えば「ピコン」といった遊技者が聞き取り易い音）がスピーカ４１から出力される。
【０２３４】
図３２を用いて開始音演出について説明する。本スロットマシン１では、遊技者によってスタートレバー８が操作されると、操作後速やかに、或いは、上記ウェイト処理後に各リール６Ｌ，６Ｃ，６Ｒの回転が開始される。全てのリール６Ｌ，６Ｃ，６Ｒの回転が開始した時間を第１時間Ｔ１とする。
【０２３５】
開始音演出は通常、第１時間Ｔ１に実行が開始される。つまり、第１示唆演出を実行する単位遊技以外の単位遊技では、第１時間Ｔ１に開始音演出の実行が開始される。そのため、遊技者は、全てのリール６Ｌ，６Ｃ，６Ｒの回転開始とともに開始音がするものであると認識し易い。第１時間Ｔ１に実行を開始した開始音演出は、第２時間Ｔ２に実行が終了する。本実施形態では、第１時間Ｔ１から第２時間Ｔ２までの期間を０．２秒としている。つまり、開始音の長さは０．２秒である。
【０２３６】
図２７に戻り、ステップS2503で示唆演出実行フラグが「１」の場合には(S2503でYES)、第１示唆演出の実行を開始する(S2505)。第１示唆演出とは、上記第１時間Ｔ１よりも後の第３時間Ｔ３に実行を開始させる開始音演出である。
【０２３７】
図３２に示すように、全てのリール６Ｌ，６Ｃ，６Ｒの回転が開始される第１時間Ｔ１から、第１示唆演出が開始される第３時間Ｔ３までの期間は０．８秒間である。また、第１示唆演出として、第３時間Ｔ３に実行を開始した開始音演出は第４時間Ｔ４に実行が終了する。本実施形態では、第３時間Ｔ３から第４時間Ｔ４までの期間を、第１時間Ｔ１から第２時間Ｔ２までの期間と同じ０．２秒としている。つまり、第１示唆演出開始音の長さは０．２秒である。また、第１示唆演出での開始音の音量は、通常時の開始音のものと変わらない。
【０２３８】
以上により、第１示唆演出である開始音演出の実行は、通常時の開始音演出よりも、全てのリール６Ｌ，６Ｃ，６Ｒの回転開始から間が空いて（ずれて）開始される。よって、全てのリール６Ｌ，６Ｃ，６Ｒの回転開始のタイミングと、開始音演出の実行タイミングとのずれを遊技者が認識可能となっている。つまり、第１示唆演出の実行によって、遊技者が違和感を享受可能となっている。従って、上記第２示唆演出が表示画面４２ａに表示されていないけれども、ＢＢ役に当選していることを遊技者に想起させることが可能となっている。
【０２３９】
但し第１示唆演出は、第２示唆演出よりもＢＢ役に当選していることが遊技者にとって判りづらい。第２示唆演出に用いる図３１の画像Ｐ４には文字列「ＢＢ確定おめでとう」が含まれており、本スロットマシン１を初めて遊技する遊技者であってもＢＢ役に当選していることを速やかに把握（連想）可能となっている。すなわち第２示唆演出は、ＢＢ役に当選していることを遊技者が直接的に判るような演出態様になっている。
【０２４０】
それに対し第１示唆演出は、ＢＢ役に当選していることを遊技者が間接的に判るような演出態様になっている。そのため、第１示唆演出の開始音演出は、通常時の開始音演出との違い（差異）について、本スロットマシン１を遊技し慣れている遊技者でも注意していないと気付かない可能性がある。ましてや、本スロットマシン１を初めて遊技する遊技者にとっては、その違いを認識し難い。よって、第１示唆演出の実行を把握できた遊技者は、優越感に浸ることが可能である。
【０２４１】
図２７に戻り、ステップS2506では、示唆演出実行フラグを「１」から「０」に更新する。これにより、当該単位遊技から次の単位遊技にわたって、示唆演出実行フラグが「１」で維持されることはない。
【０２４２】
［ＳＢ操作コマンド受信処理］図２８に示すＳＢ操作コマンド受信処理(S2104)では、演出制御用マイコン７１は、まずＳＢ操作コマンドを解析する(S2701)。そして、その解析によって得られた情報（押圧操作されたストップボタン９Ｌ，９Ｃ，９Ｒに関する情報）をＲＡＭ７４に記憶する。次に、上述の入賞操作報知演出が実行中かどうかを判定する(S2702)。
【０２４３】
入賞操作報知演出が実行中でなければ(S2702でNO)ステップS2706に進むが、入賞操作報知演出が実行中であれば(S2702でYES)、上記ステップS2701で得られた情報に基づき、ストップボタンの操作が、上記役決定結果コマンド受信処理（図２５）のステップS2304で特定した入賞操作と一致しているかを判定する(S2703)。ストップボタンの操作が入賞操作と一致している場合には(S2703でYES)、当該ストップボタンの操作が正解押し順の第１停止操作と一致していることを示す入賞操作成功演出（画像演出）を選定して(S2704)、ステップS2706に進む。具体的には、選定した入賞操作成功演出に関するコマンドをＲＡＭ７４の所定の領域にセットして、上述のステップS2004の処理でそのコマンドを画像制御基板８０に送信する。これにより、画像制御基板８０に入賞操作成功演出を実行させる。この入賞操作成功演出は、図３０（Ｂ）に示す、画像表示装置４２の表示画面４２ａの中央に「ＯＫ！」の文字列を配置した画像Ｐ２を用いた画像演出である。
【０２４４】
図２８に戻り、特定したストップボタンが入賞操作の押し順に係る操作と一致していない場合には(S2703でNO)、当該ストップボタンの操作が正解押し順ではないことを示す入賞操作失敗演出（画像演出）を選定する(S2705)。具体的には、選定した入賞操作失敗演出に関するコマンドをＲＡＭ７４の所定の領域にセットして、上述のステップS2004の処理でそのコマンドを画像制御基板８０に送信する。これにより、画像制御基板８０に入賞操作失敗演出を実行させる。この入賞操作失敗演出は、図３０（Ｃ）に示す、画像表示装置４２の表示画面４２ａの中央に「失敗！」の文字列を配置した画像Ｐ３を用いた画像演出である。
【０２４５】
図２８のステップS2706では、ＳＢ操作コマンドの受信に伴って実行する、上記以外の処理（その他の処理）を行って、本処理を終える。
【０２４６】
［停止表示図柄コマンド受信処理］図２９に示す停止表示図柄コマンド受信処理(S2110)では、演出制御用マイコン７１は、まず受信した停止表示図柄コマンドを解析する(S2901)。そして、その解析によって得られた情報（停止図柄に関する情報）をＲＡＭ７４に記憶する。次に、ＢＢ役に対応した停止表示図柄かどうかを判定する(S2902)。つまり、当該単位遊技にて、ＢＢ役の入賞が成立したかどうかを判定する。
【０２４７】
ＢＢ役に対応した停止表示図柄でない場合には(S2902でNO)、後述のステップS2907に進むが、ＢＢ役に対応した停止表示図柄である場合、つまりＢＢ役の入賞が成立した場合には(S2902でYES)、演出制御用マイコン７１は実行中の第２示唆演出を終了させる(S2903)。そして、ＢＢ役のオープニング演出の実行を開始させる(S2904)。さらに、示唆演出実行フラグを「２」から「０」に更新して(S2905)、ＢＢ役当選カウンタ値Ｍをゼロクリアする(S2906)。
【０２４８】
ステップS2907では、停止表示図柄コマンドの受信に伴って実行する、上記以外の処理（その他の処理）を行って、本処理を終える。
【０２４９】
８．本実施形態の効果
以上詳細に説明したように、本実施形態（第１実施形態）のスロットマシン１では、ＢＢ役に当選している場合に、当選示唆演出として第１示唆演出又は第２示唆演出を実行可能となっている。そして、ＢＢ役の当選を持ち越した単位遊技で再遊技役に当選した場合には、当選示唆演出として第１示唆演出が実行され、その単位遊技で再遊技役に非当選の場合には、第１示唆演出が実行されない。そのため、第１示唆演出を行う１回の単位遊技にて、ＢＢ役の当選を報知可能であるとともに再遊技役の入賞に伴う有利な特典、すなわち新たなメダルを投入する（賭ける）ことなく次回の単位遊技が行える特典を遊技者に付与可能となっている。よって遊技者は、ＢＢ役の当選を把握可能な上、再遊技役の入賞成立に伴う有利な特典を得ることが可能となっている。
【０２５０】
しかも本実施形態では、上述したようにＢＢ役の当選を持ち越した単位遊技で再遊技役に当選した場合に第１示唆演出が実行される。よって第１示唆演出の実行は、ＢＢ役の当選を示唆するとともに再遊技役の当選も示唆する。なお本実施形態の再遊技役は、当選した単位遊技において入賞の成立が取りこぼされることがない。そのため、第１示唆演出が実行された場合に遊技者は、再遊技役の入賞成立、さらにはそれに伴う有利な特典の獲得を確信することが可能となっている。
【０２５１】
また、本実施形態では、ＢＢ役に当選した単位遊技の次以降の単位遊技において、そのＢＢ役の入賞が成立するまで当選示唆演出が実行される。そのため、ＢＢ役に当選していることを告知する完全告知型のスロットマシン１とすることが可能となっている。
【０２５２】
また、本実施形態では、ＢＢ役の当選を持ち越した単位遊技で再遊技役に非当選の場合には、当選示唆演出として第１殊示唆演出とは異なる第２示唆演出が実行される。具体的に、ＢＢ役の当選を持ち越した単位遊技で再遊技役に当選した場合には第１示唆演出が実行され、ＢＢ役の当選を持ち越した単位遊技で再遊技役に当選しなかった場合には第２示唆演出が実行される。よって、ＢＢ役に当選した単位遊技の次以降の単位遊技において、そのＢＢ役の入賞が成立するまで、ＢＢ役の当選を遊技者に確実に報知可能である。
【０２５３】
さらに、本実施形態では、図３１に示す画像Ｐ４を用いた第２示唆演出の方が、第３時間Ｔ３に実行される開始音演出からなる第１示唆演出よりも、ＢＢ役に当選していることが遊技者に判り易い演出となっている。よって、再遊技役の入賞に伴う有利な特典を遊技者が得られない場合には、ＢＢ役に当選していることが第１示唆演出よりも判り易い第２示唆演出が行われることで、有利な特典を得られない代わりに、ＢＢ役の当選を遊技者により確信させることが可能となっている。
【０２５４】
また、本実施形態では、ＢＢ役に当選している単位遊技で再遊技役に当選した場合、ＢＢ役の入賞よりも再遊技役の入賞の方が優先して成立する構成になっている。しかも再遊技役は、当選した単位遊技において入賞の成立が取りこぼされることがない。そのため遊技者は、第１示唆演出の実行によって、ＢＢ役の当選を把握可能であるとともに、再遊技役の入賞成立による有利な特典を確実に獲得可能となっている。すなわち、メダル（遊技媒体）を追加しないで次回の単位遊技を遊技することが可能となっている。
【０２５５】
９．変更例
次に、変更例について説明する。なお、変更例の説明において、上記形態のスロットマシン１と同様の構成については、同じ符号を付して説明を省略する。勿論、変更例に係る構成同士を適宜組み合わせて構成してもよい。また、上記形態および下記変更例中の技術的特徴は、本明細書において必須なものとして説明されていなければ、適宜、削除することが可能である。
【０２５６】
上記第１実施形態では、第３時間Ｔ３に実行開始される開始音演出を第１示唆演出（特殊示唆演出）とした。つまり、リール６Ｌ，６Ｃ，６Ｒの回転開始に対し開始音が後に遅れて出力される特殊示唆演出とした。しかしながら、リールの回転開始よりも先に開始音が出力される演出を特殊示唆演出としてもよい。
【０２５７】
また、通常時の開始音と同じ長さの開始音演出を第１示唆演出（特殊示唆演出）としたが、通常時の開始音と異なる長さの開始音演出を第１示唆演出（特殊示唆演出）としてもよい。具体的に例えば、通常時の開始音演出では、図３２に示すように第１時間Ｔ１から第２時間Ｔ２までの期間に開始音を出力するのに対し、図３２に示す第１時間Ｔ１から第３時間Ｔ３までの期間、開始音を出力する特殊示唆演出としてもよい。或いは、第１時間Ｔ１から、第２時間Ｔ２よりも先の時間（第１時間Ｔ１よりも後の時間）までの期間、開始音を出力する特殊示唆演出としてもよい。また、開始音を出力しない特殊示唆演出としてもよい。
【０２５８】
また、通常時の開始音と同じ音量の開始音演出を第１示唆演出（特殊示唆演出）としたが、通常時の開始音と異なる音量の開始音演出でもよい。
【０２５９】
また、通常とは異なる開始音を出力する特殊示唆演出としてもよい。具体的に例えば、所定の機械音（例えば「ピコン」という音）からなる開始音に対し、それとは異なる機械音からなる開始音を出力する演出でもよい。また例えば、ＢＢのオープニングに用いる演出のイントロ音からなる開始音を出力する演出でもよい。また例えば、小役３〜小役５の入賞操作に失敗したときの操作音（例えばエラー音）からなる開始音を出力する演出でもよい。
【０２６０】
また、リール６Ｌ，６Ｃ，６Ｒの回転開始に関する演出を第１示唆演出（特殊示唆演出）とした。しかしながら、ストップボタン９Ｌ，９Ｃ，９Ｒの押圧操作に関する演出でもよい。具体的に例えば、第１停止時、第２停止時および第３停止時の少なくともいずれかの停止時に関する特殊示唆演出でもよい。
【０２６１】
そのような場合の特殊示唆演出として例えば、ストップボタンの押圧操作時に所定の期間、リールロックが生じるような演出が挙げられる。また例えば、ストップボタンの押圧操作時に表示パネルＰの点灯態様が変化する演出が挙げられる。具体的には、点灯から所定の期間消灯に変化して戻る演出や、消灯から所定の期間点灯に変化して戻る演出や、点灯から所定の期間点滅に変化して戻る演出などがある。また、点灯の明るさが変化する演出でもよい。
【０２６２】
また例えば、ストップボタンの押圧操作時に演出用ランプ４０の点灯態様が変化する演出が挙げられる。また例えば、ストップボタンの押圧操作時に、クレジット表示部２１、払出枚数表示部２２、再遊技表示ランプ２３、投入可能表示ランプ２４、ベット数表示ランプ２５、遊技開始表示ランプ２６、特殊役報知ランプ２７およびストップ報知ランプ３０Ｌ，３０Ｃ，３０Ｒの少なくとも１種類の表示器の点灯態様が変化する構成が挙げられる。
【０２６３】
また例えば、第１停止時、第２停止時および第３停止時の一部の停止音の音量が他と異なる演出が挙げられる。具体的に例えば、第１停止時の停止音が他の停止音よりも小さな音量（又は大きな音量）である演出や、第１停止時の停止音、第２停止時の停止音および第３停止時の停止音の順で徐々に大きな音量（又は小さな音量）になる演出などがある。
【０２６４】
また例えば、押圧操作時の停止音が無音の演出が挙げられる。また例えば、１回の押圧操作時の停止音を１回ではなく２回連続して出力する演出が挙げられる。また、停止音が通常とは異なる演出が挙げられる。
【０２６５】
また、リール停止後に関する演出を第１示唆演出（特殊示唆演出）としてもよい。具体的に例えば、メダルの払い出し時に関する演出でもよい。
【０２６６】
そのような場合の特殊示唆演出として例えば、払い出し音が無音の演出が挙げられる。また例えば、払い出しに伴う音声（払い出し音）が通常とは異なる演出が挙げられる。具体的に例えば、通常の払い出し音ではなく開始音を出力する演出や、ＢＢのオープニングに用いる演出のイントロ音を出力する演出や、小役３〜小役５の入賞操作に失敗したときの操作音を出力する演出や、本スロットマシン１とは異なる種類の回胴式遊技機の払い出し音を出力する演出などがある。
【０２６７】
また、スタートレバー８の操作時に関する演出を第１示唆演出（特殊示唆演出）としてもよい。
【０２６８】
また、上記の特殊示唆演出が同一の単位遊技で複数種類実行され得る構成としてもよい。また、単位遊技毎に異なる種類の特殊示唆演出が実行され得る構成としてもよい。
【０２６９】
また、上記第１実施形態では、ＢＢ役を「第１の役」とした。しかしながら、当選を次の単位遊技に持ち越し可能な役であればよく、ＢＢ役以外の役を第１の役としてもよい。具体的に例えば、ＢＢ遊技状態への移行に当選するＢＢ役に代えて、ＲＴ遊技状態への移行に当選可能な役を第１の役としてもよい。つまり、ＲＴ遊技状態への移行契機となる役（移行契機役）を第１の役としてもよい。その場合、その移行契機役は、当選した単位遊技の次以降の単位遊技に当選が持ち越されなくても、ＲＴ遊技状態への移行の当選は持ち越されることになる。
【０２７０】
また、上記第１実施形態では、再遊技役を「第２の役」とした。しかしながら、再遊技役以外の役を第２の役としてもよい。具体的に例えば、払出枚数が単位遊技の賭数よりも多い特別払出役を第２の役としてもよい。特別払出役としては例えば、小役２（スイカ小役）が挙げられる。
【０２７１】
小役２は、図７に示すように、入賞が成立したときのメダル（遊技媒体）の払出枚数が５枚の役である。上記第１実施形態のスロットマシン１は３枚掛け専用機であるため、小役２の入賞が成立した場合には、払出枚数から賭数を引いた差が「＋２」となり、その単位遊技の前後でメダルを増加させることが可能である。
【０２７２】
小役２を第２の役とした場合には、上記第１実施形態の当選示唆演出実行処理（S2309）を以下のように変更すればよい。具体的には、図２６に示すステップS2354の処理を、図３３に示すステップS3001の処理、つまり演出制御用マイコン７１は役決定結果コマンドが小役２の当選に関するものであるかどうかを判定する処理に変更する。ステップS3001で演出制御用マイコン７１は役決定結果コマンドが小役２の当選に関するものであると判定した場合には上述のステップS2355に、また、役決定結果コマンドが小役２の当選に関するものでないと判定した場合には上述のステップS2356にそれぞれ進む。
【０２７３】
以上の構成の遊技機によれば、遊技者は、第１示唆演出（特殊示唆演出）の実行によって、ＢＢ役の当選を把握可能であるとともに、小役２の入賞成立に伴い、その単位遊技の前後でメダル（遊技媒体）を増加させることが可能となる。
【０２７４】
また、小役３や小役４や小役５を特別払出役としてもよい。また、払出枚数から賭数を引いた差がマイナス（遊技者の損失）とならない、上記小役２、小役３、小役４および小役５以外の払出役を特別払出役としてもよい。
【０２７５】
また、特別払出役以外の払出役、具体的に例えば払出枚数と単位遊技の賭数とが同じ払出役を第２の役としてもよい。このような第２の役の場合に、遊技者は、実質的なメダル（遊技媒体）の消費を伴わずに単位遊技を遊技可能である。
【０２７６】
また、上記第１実施形態では、１種類の役を「第１の役」としたが、複数種類の役を第１の役としてもよい。また、１種類の役を「第２の役」としたが、複数種類の役を第２の役としてもよい。
【０２７７】
また、上記第１実施形態では、ＢＢ役（第１の役）の当選を持ち越した単位遊技で、再遊技役（第２の役）に非当選の場合には、第２示唆演出（異種示唆演出）を実行する構成とした。しかしながら、第１の役の当選を持ち越した単位遊技で第２の役に非当選の場合には、異種示唆演出も実行しない構成でもよい。また、第２示唆演出以外の異種示唆演出を実行する構成でもよい。
【０２７８】
また、上記第１実施形態では、ＢＢ役（第１の役）に当選した単位遊技の次以降の単位遊技において、その第１の役の入賞が成立するまで当選示唆演出（第１示唆演出又は第２示唆演出）を実行する構成とした。つまり、完全告知型のスロットマシン１とした。しかしながら、第１の役に当選した単位遊技の次以降の一部の単位遊技において当選示唆演出を実行する構成でもよい。つまり、完全告知型の遊技機でなくてもよい。また、第１の役の入賞成立後から、その入賞が成立した次の単位遊技の開始までの期間に、当選示唆演出を実行可能な構成でもよい。
【０２７９】
また、上記第１実施形態では、第２示唆演出（異種示唆演出）が一旦行われていると、ＢＢ役（第１の役）の入賞が成立する前に再遊技役（第２の役）に当選しても、第１示唆演出（特殊示唆演出）が行われない構成とした。しかしながら、異種示唆演出が行われているときに第２の役に当選した場合には、異種示唆演出に代えて特殊示唆演出が行われる構成でもよい。或いは、その場合に、実行中の異種示唆演出とともに特殊示唆演出も行われる構成でもよい。
【０２８０】
また、上記第１実施形態では、第１示唆演出（特殊示唆演出）を実行した次の単位遊技で、再遊技役（第２の役）に再度当選した場合、つまり第２の役に連続当選した場合には、特殊示唆演出を２回の単位遊技にわたり繰り返す構成とした。しかしながら、特殊示唆演出を実行した次以降の単位遊技では、特殊示唆演出の実行を制限して、第２示唆演出（異種示唆演出）を実行する構成でもよい。
【０２８１】
また、上記第１実施形態では、第１示唆演出（特殊示唆演出）が実行されずに第２示唆演出（異種示唆演出）が行われる場合がある。しかしながら、ＢＢ役（第１の役）の当選を持ち越した単位遊技にて特殊示唆演出が実行されるまで異種示唆演出が行われない構成としてもよい。このような構成によれば、第１の役に当選した場合には、当選示唆演出のうちの特殊示唆演出を遊技者に先ず示すことが可能である。
【０２８２】
また、上記第１実施形態では、第２示唆演出（異種示唆演出）を、図３１に示す画像Ｐ４を用いた演出とし、第１示唆演出（特殊示唆演出）を、第３時間Ｔ３での開始音演出とした上で、異種示唆演出の方が特殊示唆演出よりもＢＢ役（第１の役）に当選していることが遊技者に判り易い構成とした。しかしながら、そのような関係性以外にも、異種示唆演出の演出態様が、第１の役に当選していることが遊技者に直接的に判るものであり、特殊示唆演出の演出態様が、第１の役に当選していることが遊技者に間接的に判るものであればよい。
【０２８３】
また、異種示唆演出と特殊示唆演出とが同程度、第１の役に当選していることが判るような構成としてもよい。
【０２８４】
また、上記第１実施形態では、ＢＢ役（第１の役）に当選している単位遊技で、再遊技役（第２の役）の入賞の方が優先して成立する構成としたが、逆に、第１の役の入賞の方が第２の役よりも優先して成立する構成としてもよい。また、第１の役も第２の役も入賞が同等に成立する構成としてもよい。つまり、入賞の成立について、第１の役と第２の役との間に優先順位がない構成としてもよい。
【０２８５】
また、上記第１実施形態では、演出装置を液晶の表示画面４２ａを有する画像表示装置４２としたが、ドットマトリックスや７セグメントを有する表示装置でもよい。
【０２８６】
また、上記第１実施形態では、ＲＴ遊技状態のときに有利区間ランプ２９を点灯させる構成とした。しかしながら、ＲＴ遊技状態のときではなくＢＢ遊技状態のときに有利区間ランプ２９を点灯させる構成でもよい。また、ＲＴ遊技状態のときに加えてＢＢ遊技状態のときにも有利区間ランプ２９を点灯させる構成でもよい。また、チャンスゾーン（ＣＺ）を設けた遊技機において、そのチャンスゾーンのときに有利区間ランプ２９を点灯させる構成でもよい。また、ＲＴ遊技状態の前兆ゾーンを設けた遊技機において、その前兆ゾーンのときにも有利区間ランプ２９を点灯させる構成でもよい。
【０２８７】
また、上記第１実施形態では、チェリー小役とＢＢ役とが重複当選する構成としたが、チェリー小役以外の遊技役とＢＢ役とが重複当選する構成でもよい。また、ＢＢ役が単独当選する構成でもよい。
【０２８８】
また、上記第１実施形態では、図９（Ａ）に示す遊技役判定テーブルを設定値が「６」のものとした。しかしながら、設定値が「２」、「３」、「４」又は「５」の遊技役判定テーブルとしてもよい。
【０２８９】
また、上記第１実施形態では、サブ制御基板７０と画像制御基板８０とを分けた構成としたが、画像制御基板を含むサブ制御基板としてもよい。
【０２９０】
また、上記第１実施形態では、３つのリールを設けた遊技機とした。しかしながら、複数のリール（変動表示手段）を備えた遊技機であればよく、例えば４つのリールや、２つのリールを設けた遊技機でもよい。
【０２９１】
また、上記第１実施形態では、有効ラインＬ１上や疑似ライン上に「チェリー」図柄の３つ揃いが停止表示された場合をチェリー小役（小役１，小役９）の成立とした。しかしながら例えば、上記ラインをなす左リール６Ｌの図柄が「チェリー」図柄で、そのラインをなしている中リール６Ｃおよび右リール６Ｒの図柄がそれぞれ「チェリー」図柄以外の図柄の場合に、チェリー小役の成立としてもよい。また例えば、上記ラインをなす左リール６Ｌおよび中リール６Ｃの図柄がそれぞれ「チェリー」図柄で、そのラインをなしている右リール６Ｒの図柄が「チェリー」図柄以外の図柄の場合に、チェリー小役の成立としてもよい。
【０２９２】
また、上記第１実施形態では、ＢＢ遊技状態に加えＲＴ遊技状態を備える構成としたが、ＲＴ遊技状態を備えない構成でもよい。さらに、ＡＴ遊技状態を備えない構成でもよい。つまり、いわゆる「Ａタイプ」の回胴式遊技機としてもよい。
【０２９３】
１０．上記した実施の形態に示されている発明
上記した実施の形態には、以下の各手段の発明が示されている。以下に記す手段の説明では、上記した実施の形態における対応する構成名や表現、図面に使用した符号を参考のためにかっこ書きで付記している。但し、各発明の構成要素はこの付記に限定されるものではない。
【０２９４】
〈手段Ａ〉
手段Ａ１に係る発明は、
単位遊技毎に複数種類の役の当否を判定可能な当否判定手段（ステップS204を行う遊技制御用マイコン６１）と、
図柄が所定の態様で停止表示された場合、それに応じた役の入賞の成立を判定可能な入賞判定手段（ステップS1203を行う遊技制御用マイコン６１）と、
入賞が成立した役に応じて特典を付与可能な特典付与手段（ステップS403,S1302又はS1603を行う遊技制御用マイコン６１）と、
所定の演出を実行可能な演出実行手段（サブ制御基板７０）と、を備え、
前記複数種類の役には、入賞が成立するまで複数の単位遊技にわたり当選が持ち越され得る第１の役（ＢＢ役）と、入賞の成立時に遊技者に有利な特典が付与される第２の役（再遊技役）と、があり、
前記演出実行手段は、
前記第１の役に当選していることを示唆する当選示唆演出（第１示唆演出，第２示唆演出）を実行可能であり、
前記第１の役の当選を持ち越した単位遊技で前記第２の役に当選した場合には、前記当選示唆演出として特殊示唆演出（第１示唆演出）を実行するときがあり、
前記第１の役の当選を持ち越した単位遊技で前記第２の役に非当選の場合には、前記特殊示唆演出を実行しないことを特徴とする遊技機（スロットマシン１）である。
【０２９５】
上記の遊技機によれば、１回の単位遊技にて、特殊示唆演出の実行によって、第１の役の当選を報知可能であるとともに第２の役の入賞に伴う有利な特典を付与可能である。よって、遊技者は、第１の役の当選を把握可能であるとともに、遊技者にとって有利な特典を得ることが可能である。
【０２９６】
手段Ａ２に係る発明は、
手段Ａ１に記載の遊技機であって、
前記演出実行手段は、
前記第１の役に当選した単位遊技の次以降の単位遊技において、その第１の役の入賞が成立するまで前記当選示唆演出を実行するときがあり、
前記第１の役の当選を持ち越した単位遊技で前記第２の役に非当選の場合には、前記当選示唆演出として前記特殊示唆演出とは異なる異種示唆演出（第２示唆演出）を実行するときがあり、
前記異種示唆演出の方が前記特殊示唆演出よりも、前記第１の役に当選していることが遊技者に判り易い演出であることを特徴とする遊技機である。
【０２９７】
上記の遊技機によれば、第２の役の入賞に伴う有利な特典を遊技者が得られない場合には、第１の役に当選していることが特殊示唆演出よりも判り易い異種示唆演出を実行可能である。そのため、有利な特典を得られない代わりに、第１の役の当選を遊技者により確信させることが可能である。
【０２９８】
手段Ａ３に係る発明は、
手段Ａ１又は手段Ａ２に記載の遊技機であって、
前記第１の役に当選している単位遊技で前記第２の役に当選した場合には、前記第１の役の入賞よりも前記第２の役の入賞の方が優先して成立することを特徴とする遊技機である。
【０２９９】
上記の遊技機によれば、遊技者は、特殊示唆演出の実行によって、第１の役の当選を把握可能であるとともに、前記第２の役の入賞成立による有利な特典を得やすい。
【０３００】
手段Ａ４に係る発明は、
手段Ａ１、手段Ａ２又は手段Ａ３に記載の遊技機であって、
前記複数種類の役には、入賞の成立時に、遊技媒体の受け入れがなくても再遊技が可能となる特典が付与される再遊技役があり、
前記第２の役とは前記再遊技役であることを特徴とする遊技機である。
【０３０１】
上記の遊技機によれば、遊技者は、特殊示唆演出の実行によって、第１の役の当選を把握可能であるとともに、遊技媒体を追加しないで次の単位遊技を遊技することが可能である。
【０３０２】
手段Ａ５に係る発明は、
手段Ａ１、手段Ａ２又は手段Ａ３に記載の遊技機であって、
前記特典付与手段は、
入賞成立時に遊技媒体を払い出す払出手段（S1302を行う遊技制御用マイコン６１）を有しており、
前記複数種類の役には、入賞の成立時に所定の払い出し数で遊技媒体が払い出される払出役（小役１〜小役９）があり、
前記第２の役とは、前記所定の払い出し数が当該単位遊技の賭数よりも多い特別払出役（小役２〜小役５）であることを特徴とする遊技機である。
【０３０３】
上記の遊技機によれば、遊技者は、特殊示唆演出の実行によって、第１の役の当選を把握可能であるとともに、その単位遊技の前後で遊技媒体を増加させることが可能である。
【符号の説明】
【０３０４】
１…スロットマシン（遊技機）
６０…主制御基板
６１…遊技制御用マイコン
７０…サブ制御基板
７１…演出制御用マイコン
【図１】
2020062292.tif 000003
【図２】
2020062292.tif 000004
【図３】
2020062292.tif 000005
【図４】
2020062292.tif 000006
【図５】
2020062292.tif 000007
【図６】
2020062292.tif 000008
【図７】
2020062292.tif 000009
【図８】
2020062292.tif 000010
【図９】
2020062292.tif 000011
【図１０】
2020062292.tif 000012
【図１１】
2020062292.tif 000013
【図１２】
2020062292.tif 000014
【図１３】
2020062292.tif 000015
【図１４】
2020062292.tif 000016
【図１５】
2020062292.tif 000017
【図１６】
2020062292.tif 000018
【図１７】
2020062292.tif 000019
【図１８】
2020062292.tif 000020
【図１９】
2020062292.tif 000021
【図２０】
2020062292.tif 000022
【図２１】
2020062292.tif 000023
【図２２】
2020062292.tif 000024
【図２３】
2020062292.tif 000025
【図２４】
2020062292.tif 000026
【図２５】
2020062292.tif 000027
【図２６】
2020062292.tif 000028
【図２７】
2020062292.tif 000029
【図２８】
2020062292.tif 000030
【図２９】
2020062292.tif 000031
【図３０】
2020062292.tif 000032
【図３１】
2020062292.tif 000033
【図３２】
2020062292.tif 000034
【図３３】
2020062292.tif 000035